(57)【特許請求の範囲】
【請求項１】
第１表示面が配置された第１シート部材と、
前記第１シート部材に対向して配置された太陽電池パネルと、
を備え、
前記第１シート部材は、第２表示面が配置された第２シート部材と入れ換え可能になっており、
前記第１シート部材には、各々が前記太陽電池パネルのパネル面に対して傾斜する複数の第１表示面が一軸方向に沿って配列されている、太陽電池モジュール。
【請求項２】
前記第１シート部材は、入射する光の少なくとも一部を透過させて前記太陽電池パネルに導く、請求項１に記載の太陽電池モジュール。
【請求項３】
前記第１シート部材は、光透過性をもつ着色層を有し、
前記着色層が前記第１表示面を形成している、請求項１または２に記載の太陽電池モジュール。
【請求項４】
前記第１シート部材は、前記着色層よりも前記太陽電池パネル側に設けられた光拡散層を有している、請求項３に記載の太陽電池モジュール。
【請求項５】
前記光拡散層は、当該光拡散層とは異なる別の光拡散層と入れ換え可能になっている、請求項４に記載の太陽電池モジュール。
【請求項６】
前記第２シート部材には、前記第１シート部材と入れ換えられた状態において、各々が前記太陽電池パネルのパネル面に対して傾斜する複数の第２表示面が一軸方向に沿って配列されており、
前記第２シート部材の前記第２表示面は、前記第１シート部材の前記第１表示面が前記太陽電池パネルのパネル面に対してなす角度とは異なる角度で、前記太陽電池パネルのパネル面に対して傾斜する、請求項１乃至５のいずれか一項に記載の太陽電池モジュール。
【請求項７】
前記第１シート部材は、前記太陽電池パネルに接合層を介して剥離可能に接合されている、請求項１乃至６のいずれか一項に記載の太陽電池モジュール。
【請求項８】
前記接合層は、前記第１シート部材と前記太陽電池パネルとを、剥離可能且つ再接合可能に接合する、請求項７に記載の太陽電池モジュール。
【請求項９】
前記第２シート部材に、前記太陽電池パネルに剥離可能に接合可能な別の接合層が設けられている、請求項７または８に記載の太陽電池モジュール。
【請求項１０】
前記第１シート部材と前記太陽電池パネルとを取り外し可能に固定する固定部材をさらに備え、
前記固定部材は、前記第１シート部材に換えて前記第２シート部材と前記太陽電池パネルとを取り外し可能に固定することもできるようになっている、請求項１乃至６のいずれか一項に記載の太陽電池モジュール。
【請求項１１】
前記第２シート部材に、前記第１シート部材と入れ換えられて前記太陽電池パネルに対して位置合わせさせられる際に目印となる、マークが設けられている、請求項１０に記載の太陽電池モジュール。
【請求項１２】
前記第１シート部材を、前記太陽電池パネルと対面する位置と、前記太陽電池パネルと対面する位置からずれた位置と、の間で移動可能となるように支持する第１ガイド部材と、
前記第２シート部材を、前記太陽電池パネルに対面する位置と、前記太陽電池パネルに対面する位置からずれた位置と、の間で移動可能となるように支持する第２ガイド部材と、
をさらに備える、請求項１乃至６のいずれか一項に記載の太陽電池モジュール。
【請求項１３】
前記第２シート部材を取り出し可能に収容する収納部材をさらに備え、
前記収納部材は、前記第１シート部材も収容可能になっている、請求項１乃至１２のいずれか一項に記載の太陽電池モジュール。
【請求項１４】
前記太陽電池パネルによる発電量を計測する計測器、及び、前記第１シート部材に入射する光の光量を計測する計測器の少なくとも一方を備える、請求項１乃至１３のいずれか一項に記載の太陽電池モジュール。
【発明の詳細な説明】
【技術分野】
【０００１】
本発明は、表示を行うための表示面を含み、太陽電池パネルによる発電も行うことが可能な太陽電池モジュールに関する。
【背景技術】
【０００２】
このような太陽電池モジュールの一例として、太陽電池パネルを併設した交通標識が特許文献１に記載されている。特許文献１に記載の交通標識では、昼間に太陽電池パネルにて発電した電力を蓄え、この蓄えた電力を照明用電源として利用し、夜間の視認性や昼間の注意喚起効果を向上させている。また、外部から電力を供給する配線ケーブル等が不要なため、電源設備がない地域であっても容易に設置することができる。このような背景から、近年太陽電池パネルを併設した交通標識の開発が進められてきている。
【先行技術文献】
【特許文献】
【０００３】
【特許文献１】特開２０００−５４３２５号公報
【発明の概要】
【発明が解決しようとする課題】
【０００４】
特許文献１に記載の交通標識では、太陽電池パネルが表示面の上方に併設されている。
多くの外光を受光して多くの発電量を得られるよう、太陽電池パネルの受光面は、外部に露出している。このため、交通標識を観察する観察者によって、太陽電池パネルの受光面は視認され易い位置にある。しかしながら、太陽電池パネルの受光面は濃紺色や黒色の単一色であるため、太陽電池パネルの外観は、周囲の環境になじまない。
【０００５】
本発明は、以上の点を考慮してなされたものであり、周囲の環境との調和を図ると共に、表示面による表示及び太陽電池パネルによる発電の両立が可能な太陽電池モジュールを提供することを目的とする。
【課題を解決するための手段】
【０００６】
本発明による太陽電池モジュールは、第１表示面が配置された第１シート部材と、前記第１シート部材に対向して配置された太陽電池パネルと、を備え、前記第１シート部材は、第２表示面が配置された第２シート部材と入れ換え可能になっている。
【０００７】
本発明による太陽電池モジュールにおいて、前記第１シート部材は、入射する光の少なくとも一部を透過させて前記太陽電池パネルに導いてもよい。
【０００８】
本発明による太陽電池モジュールにおいて、前記第１シート部材は、光透過性をもつ着色層を有し、前記着色層が前記第１表示面を形成していてもよい。
【０００９】
本発明による太陽電池モジュールにおいて、前記第１シート部材は、前記着色層よりも前記太陽電池パネル側に設けられた光拡散層を有していてもよい。
【００１０】
本発明による太陽電池モジュールにおいて、前記光拡散層は、当該光拡散層とは異なる別の光拡散層と入れ換え可能になっていてもよい。
【００１１】
本発明による太陽電池モジュールにおいて、前記第１シート部材には、各々が前記太陽電池パネルのパネル面に対して傾斜する複数の第１表示面が一軸方向に沿って配列されており、各第１表示面に第１表示対象要素が付与され、前記第１表示対象要素の組み合わせで第１表示対象が形成されてもよい。
【００１２】
本発明による太陽電池モジュールにおいて、前記第２シート部材には、前記第１シート部材と入れ換えられた状態において、各々が前記太陽電池パネルのパネル面に対して傾斜する複数の第２表示面が一軸方向に沿って配列されており、各第２表示面に第２表示対象要素が付与され、前記第２表示対象要素の組み合わせで第２表示対象が形成され、前記第２シート部材の前記第２表示面は、前記第１シート部材の前記第１表示面が前記太陽電池パネルのパネル面に対してなす角度とは異なる角度で、前記太陽電池パネルのパネル面に対して傾斜してもよい。
【００１３】
本発明による太陽電池モジュールにおいて、前記第１シート部材は、前記太陽電池パネルに接合層を介して剥離可能に接合されていてもよい。
【００１４】
本発明による太陽電池モジュールにおいて、前記接合層は、前記第１シート部材と前記太陽電池パネルとを、剥離可能且つ再接合可能に接合してもよい。
【００１５】
本発明による太陽電池モジュールにおいて、前記第２シート部材に、前記太陽電池パネルに剥離可能に接合可能な別の接合層が設けられていてもよい。
【００１６】
本発明による太陽電池モジュールを構成する第２シート部材を製造する方法は、基材に前記別の接合層を積層する工程と、前記基材に、第２表示面を形成する材料を配置する工程と、を備える。
【００１７】
本発明による太陽電池モジュールにおいて、前記第１シート部材と前記太陽電池パネルとを取り外し可能に固定する固定部材をさらに備え、前記固定部材は、前記第１シート部材に換えて前記第２シート部材と前記太陽電池パネルとを取り外し可能に固定することもできるようになっていてもよい。
【００１８】
本発明による太陽電池モジュールにおいて、前記第２シート部材に、前記第１シート部材と入れ換えられて前記太陽電池パネルに対して位置合わせさせられる際に目印となる、マークが設けられていてもよい。
【００１９】
本発明による太陽電池モジュールにおいて、前記第１シート部材を、前記太陽電池パネルと対面する位置と、前記太陽電池パネルと対面する位置からずれた位置と、の間で移動可能となるように支持する第１ガイド部材と、前記第２シート部材を、前記太陽電池パネルに対面する位置と、前記太陽電池パネルに対面する位置からずれた位置と、の間で移動可能となるように支持する第２ガイド部材と、をさらに備えてもよい。
【００２０】
本発明による太陽電池モジュールにおいて、前記第２シート部材を取り出し可能に収容する収納部材をさらに備え、前記収納部材は、前記第１シート部材も収容可能になっていてもよい。
【００２１】
本発明による太陽電池モジュールにおいて、前記太陽電池パネルによる発電量を計測する計測器、及び、前記第１シート部材に入射する光の光量を計測する計測器の少なくとも一方を備えてもよい。
【００２２】
本発明による別の太陽電池モジュールは、第１表示面が配置された第１シート部材と、前記第１シート部材に対向して配置された太陽電池パネルと、第２表示面が配置され、前記太陽電池パネルに対面する位置と、前記太陽電池パネルに対面する位置からずれた位置と、の間で移動可能な第２シート部材と、を備える。
【００２３】
本発明によるさらに別の太陽電池モジュールは、第１表示面が配置された第１シート部材と、前記第１シート部材に対向して配置された太陽電池パネルと、を備え、前記第１シート部材は、前記太陽電池パネルに対面する位置と、前記太陽電池パネルに対面する位置からずれた位置と、の間で移動可能となっている。
【００２４】
本発明によるシート部材交換部品は、第１表示面が配置された第１シート部材と、前記第１シート部材に対向して配置された太陽電池パネルと、を備える太陽電池モジュールの、前記第１シート部材と入れ換えて用いられるシート部材交換部品であって、第２表示面が配置された第２シート部材を備える。
【００２５】
本発明によるシート部材交換部品を製造する方法において、前記第１表示面を形成する材料を除去する工程と、前記第１表示面を形成する材料が除去された面に、前記第２表示面を形成する材料を配置する工程と、を備えてもよい。
【００２６】
本発明によるさらに別の太陽電池モジュールは、表示面が配置されたシート部材と、
前記シート部材に対向して配置された太陽電池パネルと、を備え、前記シート部材は、その一部が交換可能になっている。
【００２７】
本発明によるさらに別の太陽電池モジュールにおいて、前記シート部材は、複数のシート部品を並べることにより構成され、前記シート部品の各々が、他のシート部品と独立して交換可能になっていてもよい。
【００２８】
本発明による太陽電池モジュールにおいて、或る方向から前記太陽電池モジュールを観察すると前記表示面が観察され、前記或る方向とは異なる別の方向から前記太陽電池モジュールに入射した光が、隣り合う２つの表示面の間を通過して前記太陽電池パネルに到達してもよい。
【００２９】
本発明による太陽電池モジュールにおいて、前記シート部材の、前記太陽電池パネルと対向する面は、一軸方向に交互に配列された複数の向き調整面及び複数の光透過面と、を含み、前記向き調整面は、前記太陽電池パネルのパネル面に対して傾斜し、前記光透過面は、前記太陽電池パネルのパネル面に対して前記向き調整面とは異なる角度で傾斜し、前記向き調整面に前記表示面が配置されていてもよい。
【００３０】
本発明による太陽電池モジュールにおいて、前記シート部材の、前記太陽電池パネルと対向する面は、前記一軸方向に沿って配列された複数のレンズ面を含み、各表示面は、各々に対応するレンズ面の一部に沿って配置されていてもよい。
【００３１】
本発明による太陽電池モジュールにおいて、前記複数の表示面は、前記シート部材内部に配置されていてもよい。
【００３２】
本発明による太陽電池モジュールにおいて、各表示面に表示対象要素が付与され、前記表示対象要素の組み合わせで表示対象が形成されてもよい。
【発明の効果】
【００３３】
本発明によれば、周囲の環境との調和を図ると共に、表示面による表示及び太陽電池パネルによる発電の両立が可能な太陽電池モジュールを提供することができる。
【図面の簡単な説明】
【００３４】
【図１】図１は、第１の実施の形態を説明するための図であって、太陽電池モジュールを示す正面図である。
【図２】図２は、図１のＩＩ−ＩＩ線に沿った断面図である。
【図３】図３は、第１シート部材の代わりに第２シート部材を太陽電池パネルに貼り付けるようすを示す断面図である。
【図４】図４は、第２シート部材を太陽電池パネルに貼り付けた状態で、太陽電池モジュールを示す正面図である。
【図５】図５は、第１シート部材の着色層の他の構成例を示す断面図である。
【図６】図６は、第１シート部材の光拡散層を別の光拡散層と交換するようすを示す断面図である。
【図７】図７は、第１シート部材及び太陽電池パネルを固定する他の例を示す断面図である。
【図８】図８は、図７に示す太陽電池モジュールにおいて、固定部材及び第２シート部材に、位置合わせ用のマークを設けた例を示す断面図である。
【図９】図９は、第１シート部材及び太陽電池パネルを固定するさらに別の変形例を示す斜視図である。
【図１０】図１０は、図９のＸ−Ｘ線に沿った断面図である。
【図１１】図１１は、太陽電池モジュールに計測器を設けた例を示す図である。
【図１２】図１２は、第１、第２シート部材の一変形例を示す斜視図である。
【図１３】図１３は、図１２のＸＩＩＩ−ＸＩＩＩ線に沿った断面図である。
【図１４】図１４は、太陽電池モジュールに表示される表示対象の一例を示す図である。
【図１５】図１５は、図１３と同様の断面において、太陽電池モジュールの作用を説明するための図である。
【図１６】図１６は、図１３と同様の断面において、太陽電池モジュールの作用を説明するための図である。
【図１７】図１７は、第１、第２シート部材の別の変形例を示す断面図である。
【図１８】図１８は、第１、第２シート部材のさらに別の変形例を示す断面図である。
【図１９】図１９は、第１、第２シート部材のさらに別の変形例を示す断面図である。
【図２０】図２０は、第１、第２シート部材のさらに別の変形例を示す断面図である。
【図２１】図２１は、第１、第２シート部材のさらに別の変形例を示す断面図である。
【図２２】図２２は、第１、第２シート部材のさらに別の変形例を示す断面図である。
【図２３】図２３は、第１、第２シート部材のさらに別の変形例を示す断面図である。
【図２４】図２４は、第２の実施の形態を説明するための図であって、太陽電池モジュールを示す正面図である。
【図２５】図２５は、図２４のＸＸＶ−ＸＸＶ線に沿った断面図である。
【発明を実施するための形態】
【００３５】
以下、図面を参照して実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００３６】
図１〜図１２は、一実施の形態及びその変形例を説明するための図である。このうち図１、図２は、太陽電池モジュール１の構成を示す斜視図または縦断面図である。
【００３７】
太陽電池モジュール１は、所定の表示機能及び外光を利用した発電機能の両方を発揮する。図１及び図２に示す太陽電池モジュール１において、第１表示面３ａが配置された第１シート部材２が、太陽電池パネル５０よりも入光側に設けられている。入光側に第１シート部材２が設けられていることにより、太陽電池パネル５０の受光面５０ａを目立たなくすると共に、入光側から太陽電池モジュール１を観察する観察者に、主として第１シート部材２に配置された第１表示面３ａを表示する。また、第１シート部材２には、入光側から入射する太陽光を太陽電池パネル５０に向けて透過するよう工夫が施されている。ゆえに、入光側から太陽電池モジュール１に入射する太陽光Ｌ２１は、第１シート部材２を透過して太陽電池パネル５０に導かれる。このようにして、太陽電池モジュール１によれば、周囲の環境との調和を図ると共に、表示面３ａによる表示及び太陽電池パネル５０による発電の両立を可能にしている。
【００３８】
以下、本実施の形態による太陽電池モジュール１の構成及び作用効果について詳述していく。図２によく示されているように、太陽電池モジュール１は、シート状の第１シート部材２と、第１シート部材２の背面に配置された太陽電池パネル５０と、を備えている。
【００３９】
第１シート部材２は、互いに対向する一対の主面として、一方の面２ａ及び他方の面２ｂを有している。一方の面２ａは、太陽電池モジュール１へ入射する太陽光等の外光等の入射面をなす。また、一方の面２ａは、第１表示対象３ｂを可視化する第１表示面３ａからの光が太陽電池モジュール１から出射する出射面をなす。一方、他方の面２ｂは、太陽電池パネル５０に対向する面をなしている。
【００４０】
なお、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００４１】
また、本明細書において、「シート面（フィルム面、板面、パネル面）」とは、対象となるシート状の部材を全体的かつ大局的に見た場合において対象となるシート状部材の平面方向と一致する面のことを指す。以下に説明する実施の形態においては、第１シート部材２のシート面、太陽電池パネル５０のパネル面、並びに太陽電池パネル５０の受光面５０ａは、互いに並行となっている。さらに、本明細書において、シート状（フィルム状、板状、パネル状）の部材に対して用いる「法線方向」とは、当該部材のシート面への法線方向のことを指す。
【００４２】
第１シート部材２は、着色層３と、着色層３よりも太陽電池パネル５０側に設けられた光拡散層４ａと、を有している。着色層３が入光面をなす第１シート部材２の一方の面２ａを規定し、光拡散層４ａが第１シート部材２の他方の面２ｂを規定している。
【００４３】
着色層３は、観察者によって観察されることが意図された第１表示面３ａを形成するべく、無彩色または有彩色に着色された層である。上述のように、太陽電池モジュール１は、第１シート部材２の一方の面２ａから観察されることが意図されている。このため、着色層３は、入光側となる表面つまり第１シート部材２の一方の面２ａを規定する表面に、第１表示面３ａを形成している。図１に示す例では、第１表示面３ａは、第１シート部材２の一方の面２ａを観察する観察する観察者に対して、第１表示対象３ｂとしてのアルファベットの「Ｎ」を表示している。
【００４４】
着色層３の着色方法や形成方法等については特に限定されることはなく、自由に設計可能である。着色層３の成分としては特に限定されることはなく、着色材として各種染料や各種顔料を適宜組み合わせて用いることができる。また、着色層３においては、前記着色材の他、任意の成分として、バインダーとしての樹脂、溶媒、分散剤等、着色層３を形成する上で必要な成分を任意に配合することができる。
【００４５】
着色層３の着色材として顔料を用いる場合には、耐候性の向上を図ることができる点で好ましい。一方で着色層３の着色材として染料を用いる場合には、鮮やかな色を再現することができ、意匠性の向上を図ることができる点で好ましく、さらに染料は塗布量が少なくても発色良く意匠を再現することができるため、着色層３をベタ層として形成しても高い光透過率を維持することができる点でも好ましい。
【００４６】
本実施の形態による着色層３は、太陽電池パネル５０の受光面５０ａを覆うように位置するため、太陽電池パネル５０の発電効率の観点から、可能な限り光透過性を有している、つまり透明であることが好ましい。光透過性に関しては、第１表示面３ａによる表示と発電効率のバランスを考慮して適宜設計すればよい。着色層３の平均透過率としては、第１表示面３ａによる表示によって様々であるが、たとえば２０％以上とすることが好ましく、５０％以上、さら好ましくは７０％以上とすることが好ましい。
【００４７】
ここで、本件明細書における平均透過率は、着色層３の面内平均における可視光線透過率を意味する。可視光線透過率の値としては、例えば、ＳＭカラーコンピュータＳＭ−Ｃ（スガ試験機株式会社製）を用いて、３８０ｎｍから７５０ｎｍの可視光波長領域を測定し、任意に採取したサンプル１２点の測定値を平均した値を採用することが精度向上の観点で好ましい。なお、着色層３に絵柄が形成されている場合等、着色層３の面内に可視光線透過率が大きく異なる箇所がある場合には、占有面積が比較的広い箇所を選んでそれらの平均を採用すれば足りる。
【００４８】
光拡散層４ａは、第１シート部材２を透過した光を拡散させて太陽電池パネル５０に導く。光拡散層４ａは、入射光を拡散し得るものであれば特に限定されることはなく、例えば公知の各種光拡散層を適宜選択して用いることができる。例えば、光拡散層４ａは、ポリエステル系樹脂、ポリカーボネート系樹脂やポリオレフィン系樹脂からなる材料に、拡散成分、例えば気泡やビーズを分散させて形成されてもよい。あるいは、光拡散層４ａは、上述の樹脂シートに凹凸を形成することにより作製されてもよい。
【００４９】
本実施の形態では、着色層３は、当該着色層３をなす材料を、光拡散層４ａをなす樹脂シートに印刷することによって形成されている。すなわち、光拡散層４ａをなす樹脂シートは、着色層３が印刷される基材として機能する。
【００５０】
また、図２に示すように、第１シート部材２は、接合層５を介して太陽電池パネル５０に剥離可能に接合されている。第１シート部材２と太陽電池パネル５０とを剥離可能に接合することにより、第１シート部材２を剥離して別のシート部材を太陽電池パネル５０に貼り付けることが可能となる。
【００５１】
とりわけ、本実施の形態の接合層５は、第１シート部材２と太陽電池パネル５０とを、再接合可能にも接合する。第１シート部材２と太陽電池パネル５０とを再接合可能にも接合することにより、第１シート部材２を剥離した後に再び太陽電池パネル５０に接合することも可能となる。
【００５２】
このような観点から、接合層５として、例えば、天然ゴム、合成ゴム、シリコーン系粘着剤、あるいはポリアクリル酸系高分子化合物、ポリアクリル酸塩系高分子化合物、エチレン酢酸共重合物、ポリビニルエーテル、ポリビニルエステルなどの高分子化合物が挙げられる。また、接合層５は、上記の２種以上の化合物の混合物や共重合体であってもよい。また、必要に応じて、粘着付与剤、老化防止剤、架橋剤、充填剤など、各種の添加剤をこれらの高分子化合物に含有させてもよい。
【００５３】
なお、図２に示す接合層５は、太陽電池パネル５０と剥離可能に接合されており、第１シート部材２の光拡散層４ａに固着されている。すなわち、接合層５は、第１シート部材２と一体に構成された部品である。
【００５４】
太陽電池パネル５０は、受光面５０ａで受光した光を電気エネルギーに変換する発電装置である。太陽電池パネル５０の受光面５０ａには、第１シート部材２を透過した光Ｌ２１が導かれるようになっており、この光Ｌ２１が発電に利用される。
【００５５】
このような太陽電池パネル５０として、種々の形態のものを使用することができる。例えば、単結晶シリコン、多結晶シリコンまたはアモルファスシリコン等からなる平板状のシリコン基板を含むシリコン系太陽電池パネル、カルコパイライト系太陽電池パネル、化合物半導体型太陽電池パネル、色素増感型太陽電池パネル、量子ドット型太陽電池パネル、および有機薄膜型太陽電池パネル等を挙げることができる。
【００５６】
これらの太陽電池素子の中でも、色素増感型太陽電池パネルは、蛍光灯などの室内光や、窓際など、低照度での発電効率が高いといった利点や、製造工程に真空条件を必要とせず製造コストが低いといった利点から、特に好適に使用することができる。また、色素増感型太陽電池パネルは、前記のごとく室内において用いられることから、意匠性が要求される場合も多く、本願発明の効果を発揮できる点でも好ましい。
【００５７】
なお、図示する例では、第１シート部材２は、太陽電池パネル５０の受光面５０ａの全体を覆っている。換言すれば、図１に示す方向からみたときに、第１シート部材２の着色層３の輪郭と光拡散層４ａの輪郭と受光面５０ａの輪郭とが重なり合っている。
【００５８】
さて、上述のように、接合層５を介して第１シート部材２と太陽電池パネル５０とを剥離可能に接合することにより、第１シート部材２を剥離して別のシート部材を太陽電池パネル５０に貼り付けることが可能となる。図３に、第１シート部材２を剥離して別の第２シート部材６を太陽電池パネル５０に貼り付けるようすを示す。
【００５９】
図３に示す第２シート部材６は、第２表示面７ａが配置され、その上、第１シート部材２と入れ換え可能に構成されている。第２シート部材６は、第２表示面７ａが配置され第１シート部材２と入れ換え可能に構成されている限り、第１シート部材２と同一に構成されていてもよいし、異なる構成であってもよい。以下の説明では、第２表示面７ａにて表示される第２表示対象７ｂが第１表示面３ａにて表示される第１表示対象３ｂと異なるが、その他の構成は、第１シート部材２と同一に構成された例を用いて、第２シート部材６について説明していく。
【００６０】
第２シート部材６は、互いに対向する一対の主面として、一方の面６ａ及び他方の面２ｂを有している。一方の面６ａは、第１シート部材２と入れ換えた状態において、太陽電池モジュール１へ入射する太陽光等の外光等の入射面をなす。また、一方の面６ａは、第２表示対象７ｂを可視化する第２表示面７ａからの光が太陽電池モジュール１から出射する出射面をなす。一方、他方の面６ｂは、第１シート部材２と入れ換えた状態において、太陽電池パネル５０に対向する面をなす。
【００６１】
図３に示すように、第２シート部材６は、着色層７と、着色層７よりも太陽電池パネル５０側に設けられた光拡散層８ａと、を有している。
【００６２】
着色層７は、観察者によって観察されることが意図された第２表示面７ａを形成するべく、無彩色または有彩色に着色された層である。上述のように、太陽電池モジュール１は、第２シート部材６の一方の面６ａから観察されることが意図されている。このため、着色層７は、入光側となる表面つまり第２シート部材６の一方の面６ａを規定する表面に、第２表示面７ａを形成している。
【００６３】
図４に、第２表示面７ａを観察したようすを示す。図４に示す例では、第２表示面７ａは、第２シート部材６の一方の面６ａを観察する観察する観察者に対して、第２表示対象７ｂとしての絵柄、具体的には人の顔の輪郭を表示している。すなわち、図４に示す例では、第２表示対象７ｂは、第１表示対象３ｂと異なっている。
【００６４】
とりわけ、着色層７は、太陽電池パネル５０の発電効率の観点から、可能な限り光透過性を有している、つまり透明であることが好ましい。着色層７の着色方法や形成方法等は、上述の第１シート部材２と同様なためここでは詳細な説明を省略する。
【００６５】
光拡散層８ａは、第２シート部材６を透過した光を拡散させて太陽電池パネル５０に導く。光拡散層８ａは、上述の第１シート部材２の光拡散層４ａと略同様に構成することができるため、ここでは詳細な説明を省略する。
【００６６】
また、図３に示すように、第２シート部材６は、接合層５とは別の接合層９を介して太陽電池パネル５０に接合されている。とりわけ、本実施の形態の接合層９は、第２シート部材６と太陽電池パネル５０とを、剥離可能且つ再接合可能に接合する。なお、接合層９は、太陽電池パネル５０と剥離可能に接合されており、第２シート部材６の光拡散層８ａに固着されている。すなわち、接合層９は、第２シート部材６と一体に構成された部品である。なお、接合層９と第２シート部材６とによって、シート部材交換部品１０が構成される。
【００６７】
以上のように、本実施の形態によれば、第１表示面３ａが配置された第１シート部材２と、第１シート部材２に対向して配置された太陽電池パネル５０と、を備え、第１シート部材２は、第２表示面７ａが配置された第２シート部材６と入れ換え可能になっている。このような形態によれば、太陽電池パネル５０に対向して第１表示面３ａが配置された第１シート部材２が設けられていることにより、太陽電池パネル５０の受光面５０ａを目立たなくすると共に、入光側から太陽電池モジュール１を観察する観察者に、主として第１シート部材２に配置された第１表示面３ａを表示することができる。さらに、第１シート部材２と第２シート部材６とを異なる構成にすることにより、表示のニーズに合わせて、第１シート部材２と第２シート部材６とを適宜選択することができる。また、第１シート部材２に遮られなかった光Ｌ２１は、太陽電池パネル５０に到達して発電に利用される。これらの結果、周囲の環境との調和を図ると共に、表示面３ａによる表示及び太陽電池パネル５０による発電の両立を可能にしている。
【００６８】
また、本実施の形態によれば、第１シート部材２は、入射する太陽光Ｌ２１の少なくとも一部を透過させて太陽電池パネル５０に導く。この場合、第１シート部材２に入射する太陽光Ｌ２１の少なくとも一部を太陽電池パネル５０に導くことができるため、表示面３ａによる表示及び太陽電池パネル５０による発電の両立を効果的に実現可能となる。
【００６９】
また、本実施の形態によれば、第１シート部材２は、光透過性をもつ着色層３を有し、着色層３が第１表示面３ａを形成している。この場合、表示及び発電の両立を、着色によって容易に実現することができる。なお、着色層３は、太陽電池パネル５０の受光面５０ａの全体にわたって形成されている必要はなく、表示すべき第１表示対象３ｂの形状に応じて部分的に設けられていてもよい。
【００７０】
また、本実施の形態によれば、第１シート部材２は、着色層３よりも太陽電池パネル５０側に設けられた光拡散層４ａを有している。光拡散層４ａによって第１シート部材２から太陽電池パネル５０に向かう光を拡散させることで、太陽電池パネル５０の受光面５０ａの広い領域にむらなく光を到達させることができる。この結果、受光面５０ａに局所的に光が集中することによる内部抵抗の増大を防ぎ、太陽電池パネル５０にて効率よく発電することが可能となる。その一方で、太陽電池モジュール１を観察する観察者にとっては、光拡散層４ａを着色層３の背景として観察することができる。この場合、白濁した光拡散層４ａが太陽電池パネル５０を目立たなくすると共に背景としても観察されることで、着色層３によって表示される第１表示対象３ｂをより美しく視認することが可能となる。なお、光拡散層４ａは必要に応じて設けられるものであり、必ずしも光拡散層４ａは設けられていなくてもよい。
【００７１】
また、本実施の形態によれば、第１シート部材２は、太陽電池パネル５０に接合層５を介して剥離可能に接合されている。この場合、第１シート部材２を剥離すれば、第１シート部材２と第２シート部材６とを入れ換えることが可能となるため、この入れ換え作業が容易となる。
【００７２】
とりわけ、本実施の形態の接合層５は、第１シート部材２と太陽電池パネル５０とを、剥離可能且つ再接合可能に接合する。第１シート部材２と太陽電池パネル５０とを再接合可能にも接合することにより、第１シート部材２を剥離した後に再び太陽電池パネル５０に接合することも可能となる。
【００７３】
また、本実施の形態によれば、第２シート部材６に、太陽電池パネル５０に剥離可能に接合可能な別の接合層９が設けられている。この場合、第１シート部材２に接合層５が固着されていても、別の接合層９を利用して第２シート部材６を太陽電池パネル５０に接合することができるため、作業性がよい。
【００７４】
また、かかる第２シート部材６は、基材に別の接合層９を積層する工程と、基材に第２表示面７ａを形成する材料を配置する工程と、を備える、シート部材６を製造する方法にて提供され得る。材料を配置する場合、印刷技術を用いると、第２シート部材６を安定して量産することができる点で有利である。
【００７５】
また、本実施の形態によれば、図３に示すように、第１表示面３ａが配置された第１シート部材２と、第１シート部材２に対向して配置された太陽電池パネル５０と、を備える太陽電池モジュール１の、第１シート部材２と入れ換えて用いられるシート部材交換部品１０であって、第２表示面７ａが配置されたシート部材６と、シート部材６に積層され、太陽電池パネル５０に剥離可能に接合可能な接合層９と、を備える、シート部材交換部品１０が提供される。なお、接合層９は、シート部材交換部品１０に設けずに、太陽電池パネル５０に設けてもよい。
【００７６】
なお、シート部材交換部品１０（第２シート部材２）は、第１表示面３ａを形成する材料を除去する工程と、前記第１表示面３ａを形成する材料が除去された面に、前記第２表示面７ａを形成する材料を配置する工程により、製造してもよい。この場合、基材等のシート部材の材料を再利用するため、製造費用を削減できる。
【００７７】
第１表示面３ａにより表示される表示対象と第２表示面７ａにより表示される表示対象とは、同じであっても異なっていてもよい。例えば、第１表示面３ａが経時劣化した場合に、第１表示面３ａと同じ表示対象を表示する第２表示面７ａを配置することが考えられる。あるいは、第２表示面３ａの表示対象の表示期間が過ぎた後、表示対象を第２表示面７ａの表示対象に変更することが考えられる。
【００７８】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７９】
上述した実施の形態では、図２に示すように、着色層３が、光拡散層４ａにインキをベタ印刷してなるベタ層からなる例を示したが、着色層３の構成は、上述した構成に限定されない。図５に、着色層３の他の構成例を示す。図５に示す例では、着色層３は、光拡散層４ａにインキを網点印刷してなるパターン層として設けられている。とりわけ、図５に示すパターン層は、ドット状のパターン層である。着色層３をドット状とすることにより、ドットが設けられていない領域から太陽電池パネル５０により多くの光を導くことができる。
【００８０】
ドット状の着色層３を形成する方法については特に限定されないが、例えば、ＡＭ（ＡｍｐｌＩｔｕｄｅ  ＭｏｄｕｌａｔＩｏｎ）スクリーニング法、ＦＭ（Ｆｒｅｑｕｅｎｃｙ  ＭｏｄｕｌａｔＩｏｎ）スクリーニング法、さらには濃度諧調法、などを挙げることができる。
【００８１】
ＡＭスクリーニング法は、ドットのサイズの大小を制御することにより見掛けの濃度を調整する方法であり、グラビア印刷法やＡＭスクリーン印刷法や固定ヘッド型インクジェット印刷法などにより実現が可能である。一般的に、ドットのサイズの制御は、ドットの数の制御よりも容易なので、このＡＭスクリーニング法によれば、太陽電池モジュールの製品ロット間の発電特性のバラツキを抑制することができる。
【００８２】
ＦＭスクリーニング法は、ドットの数の多少を制御することにより見掛けの濃度を調整する方法であり、ＦＭスクリーン印刷法や可動ヘッド型インクジェット印刷法などにより実現が可能である。一般的に、ＦＭスクリーニング法はＡＭスクリーニング法に比べ、１つ１つのドットのサイズを小さくすることができるので、このＦＭスクリーニング法によれば、着色層３の濃度を細かく調整することができる。
【００８３】
濃度諧調法は、ドットの濃度の高低を制御することにより見掛けの濃度を調整する方法であり、昇華型熱転写方式の印刷法や重ね打ち方式のインクジェット印刷法などにより実現が可能である。例えば、予め着色層３を形成する部分に、下地となる着色層をベタで形成しておき、その上にドット状の着色層３を形成することにより、前記ベタの着色層と前記着色層３とによってドットの濃度の高低を作ることができる。また、この方法によれば、着色層３の層厚を薄くできるので、着色層３の表面で光が拡散してしまうことを抑制することもできる。
【００８４】
また、上述した実施の形態では、図２に示すように、着色層３が光拡散層４ａに印刷された例を示したが、着色層３の形成方法は、上述した構成に限定されない。図６に、着色層３の他の形成方法を示す。図６に示す例では、着色層３は、光拡散層４ａとは異なる樹脂製の基材２ｃに積層されており、この基材２ｃが接合層２ｄを介して光拡散層４ａと接合されている。
【００８５】
とりわけ、接合層２ｄは、基材２ｃと光拡散層４ａとを剥離可能に接合している。基材２ｃと光拡散層４ａとを剥離可能に接合することにより、光拡散層４ａを剥離して別の光拡散層４ｂを基材２ｃに貼り付けることが可能となる。
【００８６】
その上、接合層２ｄは、基材２ｃと光拡散層４ａとを再接合可能にも接合する。基材２ｃと光拡散層４ａとを再接合可能にも接合することにより、光拡散層４ａを剥離した後に再び基材２ｃに接合することも可能となる。
【００８７】
なお、図６に示す接合層２ｄは、光拡散層４ａと剥離可能に接合されており、基材２ｃに固着されている。すなわち、接合層２ｄは、基材２ｃと一体に構成された部品である。
【００８８】
さて、上述のように、基材２ｃと光拡散層４ａとを剥離可能に接合することにより、光拡散層４ａを剥離して別の光拡散層４ｂを基材２ｃに貼り付けることが可能となる。別の光拡散層４ｂは、典型的には光拡散層４ａとヘイズ値の異なるものを採用することができる。すなわち、別の光拡散層４ｂは、光拡散層４ａとは異なる拡散層である。
【００８９】
以上のように、図６に示す形態によれば、光拡散層４ａは、当該光拡散層４ａとは異なる別の光拡散層４ｂと入れ換え可能になっている。この場合、光拡散層４ａと別の光拡散層４ｂとを異なる構成にすることにより、使用のニーズに合わせて、光拡散層４ａと別の光拡散層４ｂとを適宜選択することができる。
【００９０】
また、上述した実施の形態では、図２に示すように、第１シート部材２が接合層５を介して太陽電池パネル５０に接合された例を示したが、第１シート部材２及び太陽電池パネル５０の固定方法は、上述した構成に限定されない。図７乃至図１０に、第１シート部材２と太陽電池パネル５０との他の固定方法を示す。このうち、図７に示す例では、第１シート部材２及び太陽電池パネル５０は、固定部材６１を介して取り外し可能に固定されている。
【００９１】
図７に示す固定部材６１は、第１シート部材２及び太陽電池パネル５０の周りを取り囲むフレームとして構成されている。フレーム６１には、複数の溝６２が形成されていて、第１シート部材２及び太陽電池パネル５０が各々に対応する溝６２に嵌め込まれている。溝６２を利用することで、第１シート部材２及び太陽電池パネル５０をフレーム６１に取り外し可能に装着することができる。
【００９２】
また、フレーム６１は、太陽電池パネル５０及びシート部材２０を間隔を空けて保持し、これらの間に空気層６３を介在させている。空気層６３を介在させることにより、光拡散層４ａにて拡散されていく光Ｌ７１を、空気層６３内で拡げた後に太陽電池パネル５０の受光面５０ａに到達させることができる。これにより、受光面５０ａのより広い領域にむらなく光を到達させ、受光面５０ａに局所的に光が集中することによる発電効率の低下を抑えることができる。
【００９３】
また、溝６２には、第２シート部材６も嵌め込むことができるようになっている。すなわち、溝６２を利用することで、第１シート部材２に換えて第２シート部材６をフレーム６１に取り外し可能に装着することもできる。
【００９４】
以上のように、図７に示す形態では、第１シート部材２と太陽電池パネル５０とを取り外し可能に固定する固定部材６１をさらに備え、固定部材６１は、第１シート部材２に換えて第２シート部材６と太陽電池パネル５０とを取り外し可能に固定することもできるようになっている。固定部材６１によって、第１シート部材２と太陽電池パネル５０とを一体として取り扱うことができ、取り扱い性の点で優れる。また、第１シート部材２と第２シート部材６とを入れ換えれば、第２シート部材６と太陽電池パネル５０とを一体として取り扱うこともできる。
【００９５】
なお、図７に示す例では、固定部材６１がフレームからなる例を示したが、固定部材６１の形態はこのような例に限定されない。固定部材６１は、第１シート部材２または第２シート部材６と太陽電池パネル５０とを取り外し可能に固定するものであればよく、他の例として、第１シート部材２及び太陽電池パネル５０を覆うカバー、あるいは、ネジ、ピン、ボタンに代表される留め具が挙げられる。
【００９６】
図８は、第１シート部材２と第２シート部材６とを入れ換えた状態を示す断面図である。ただし、図８には、図７には図示されていなかったが、フレーム６１に設けられたマーク６４が図示されている。
【００９７】
図８に示すように、第２シート部材６に、第１シート部材２と入れ換えられて太陽電池パネル５０に対して位置合わせさせられる際に目印となる、マーク６ｄが設けられている。図８に示すマーク６ｄは、シート部材２０の他方の面２０ｂ寄りの位置で、光拡散層８ａの側面に設けられている。第２シート部材６のマーク６ｄをフレーム６１のマーク６４に合わせて、第２シート部材６をフレーム６１に固定することにより、第２シート部材６と太陽電池パネル５０との位置合わせを容易に行うことができる。
【００９８】
次に、図９及び図１０を参照して、第１シート部材及び太陽電池パネルを固定するさらに別の変形例を説明する。図９及び図１０は、それぞれ、第１シート部材及び太陽電池パネルを固定するさらに別の変形例を示す斜視図及び断面図である。図９及び図１０に示す例では、第１シート部材２及び太陽電池パネル５０は、それぞれ、第１ガイド部材６６及び第２ガイド部材６７に可動に支持されている。
【００９９】
図１０に示すように、太陽電池パネル５０、第１シート部材２及び第２シート部材６は、太陽電池パネル５０の法線方向ｎｄに沿ってこの順で並んでいる。そして、太陽電池パネル５０が外枠６５に固定される一方で、第１シート部材２及び第２シート部材６は、それぞれ第１ガイド部材６６及び第２ガイド部材６７によって、太陽電池パネル５０のパネル面に沿った方向にスライド移動可能に支持されている。
【０１００】
とりわけ、第１ガイド部材６６は、第１シート部材２を、太陽電池パネル５０と対面する対面位置Ｐ１と、太陽電池パネル５０と対面する位置からずれた待機位置Ｐ２と、の間で移動可能となるように支持している。図示する例では、第１ガイド部材６６は、第１シート部材２の上下に配置された一対のレールとして構成されている。そして、第１シート部材２の周縁には枠６８が取り付けられており、枠６８に設けられた突起（不図示）が第１ガイド部材６６のレールに設けられた溝６６ａ内で案内されるようになっている。
【０１０１】
第２ガイド部材６７は、第２シート部材６を、太陽電池パネル５０と対面する対面位置Ｐ３と、太陽電池パネル５０と対面する位置からずれた待機位置Ｐ４と、の間で移動可能となるように支持している。図示する例では、第２ガイド部材６７は、第２シート部材６の上下に配置された一対のレールとして構成されている。そして、第２シート部材６の周縁には枠６９が取り付けられており、枠６９に設けられた突起（不図示）が第２ガイド部材６７のレールに設けられた溝６７ａ内で案内されるようになっている。
【０１０２】
また、図９及び図１０に示す例では、太陽電池パネル５０と対面する位置からずれた位置に収納部材７１が設けられている。収納部材７１は、第２シート部材６を取り出し可能に収容し、さらには、第２シート部材６を収容した状態あるいは第２シート部材６を取り出した状態で、第１シート部材２をも収容可能となっている。
【０１０３】
とりわけ、第１ガイド部材６６及び第２ガイド部材６７は、太陽電池パネル５０に対面する位置から収納部材７１内まで延びている。このため、第１シート部材２を対面位置Ｐ１から待機位置Ｐ２まで移動させると、第１シート部材２が収納部材７１に収容され、第２シート部材６を対面位置Ｐ３から待機位置Ｐ４まで移動させると、第２シート部材６が収納部材７１に収容されるようになっている。
【０１０４】
以上のように、図９及び図１０に示す形態によれば、第１シート部材２を、太陽電池パネル５０と対面する位置Ｐ１と、太陽電池パネル５０と対面する位置からずれた位置Ｐ２と、の間で移動可能となるように支持する第１ガイド部材６６と、第２シート部材６を、太陽電池パネル５０に対面する位置Ｐ３と、太陽電池パネル５０に対面する位置からずれた位置Ｐ４と、の間で移動可能となるように支持する第２ガイド部材６７と、をさらに備える。このような形態によれば、第１シート部材２及び第２シート部材６を、それぞれ、第１ガイド部材６６及び第２ガイド部材６７に沿って移動させるだけで、第１シート部材２と第２シート部材６とを入れ換えることができるため、入れ換え作業が容易となる。
【０１０５】
また、図９及び図１０に示す形態によれば、第２シート部材６を取り出し可能に収容する収納部材７１をさらに備え、収納部材７１は、第１シート部材２も収容可能になっている。この場合、太陽電池パネル５０に対面させないで待機させているシート部材２、６を収納部材７１に収容することで、収容されたシート部材２、６を保護することができる。結果として、シート部材２、６の耐久性を向上させることに寄与する。
【０１０６】
なお、収納部材７１は、第１ガイド部材６６及び第２ガイド部材６７と共に必ずしも用いられる必要性はない。例えば、図２や図７に示す太陽電池モジュール１に収納部材７１が設けられていてもよい。
【０１０７】
また、図９及び図１０に示す形態によれば、第１表示面３ａが配置された第１シート部材２と、第１シート部材２に対向して配置された太陽電池パネル５０と、第２表示面７ａが配置され、太陽電池パネル５０に対面する位置Ｐ３と、太陽電池パネル５０に対面する位置からずれた位置Ｐ４と、の間で移動可能な第２シート部材６と、を備えた太陽電池モジュール１が提供される。このような形態によれば、太陽電池パネル５０に対向して第１表示面３ａが配置された第１シート部材２が設けられていることにより、太陽電池パネル５０の受光面５０ａを目立たなくすると共に、入光側から太陽電池モジュール１を観察する観察者に、主として第１シート部材２に配置された第１表示面３ａを表示することができる。さらに、第２シート部材６を太陽電池パネル５０に対面する位置Ｐ３と対面する位置からずれた位置Ｐ４との間で移動させることにより、表示や発電のニーズに合わせて、第２シート部材６を選択的に利用することができる。また、第１シート部材２及び第２シート部材６に遮られなかった光Ｌ１０１は、太陽電池パネル５０に到達して発電に利用される。これらの結果、周囲の環境との調和を図ると共に、表示面３ａによる表示及び太陽電池パネル５０による発電の両立を可能にしている。
【０１０８】
また、図９及び図１０に示す形態によれば、第１表示面３ａが配置された第１シート部材２と、第１シート部材２に対向して配置された太陽電池パネル５０と、を備え、第１シート部材２は、太陽電池パネル５０に対面する位置Ｐ１と、太陽電池パネル５０に対面する位置からずれた位置Ｐ２と、の間で移動可能となっている。このような形態によれば、第１表示面３ａが配置された第１シート部材２を太陽電池パネル５０に対向する位置に移動させることにより、太陽電池パネル５０の受光面５０ａを目立たなくすると共に、入光側から太陽電池モジュール１を観察する観察者に、主として第１シート部材２に配置された第１表示面３ａを表示することができる。その一方で、第１シート部材２に遮られなかった光Ｌ１０１は、太陽電池パネル５０に到達して発電に利用される。また、第１シート部材２を太陽電池パネル５０に対面する位置からずれた位置Ｐ４に移動させることにより、第１シート部材２にて太陽電池パネル５０に入射すべき光を遮るおそれを低減し、多くの太陽光Ｌ１０１を太陽電池パネル５０に導くことができる。これらの結果、周囲の環境との調和を図ると共に、表示面３ａによる表示及び太陽電池パネル５０による発電の両立を可能にしている。
【０１０９】
また、上述した実施の形態において、各種の計器類がさらに設けられていてもよい。図１１に、太陽電池モジュール１が計測器７２、７３をさらに備える例を示す。図１１に示す例では、太陽電池パネル５０による発電量を計測する計測器７２、及び、第１シート部材２に入射する光の光量を計測する計測器７３が設けられている。
【０１１０】
計測器７２は、太陽電池パネル５０による発電量を計測するタイプのものであれば広く適用可能である。図１１に示す例では、バッテリー７４が太陽電池パネル５０に回路７５を介して電気的に接続されており、バッテリー７４は、太陽電池パネル５０にて発電されたエネルギーを蓄える。そして、このバッテリー７４と太陽電池パネル５０とを接続する回路７５に、電流計からなる計測器７２が介在させられている。回路７５に流れる電流を計測することにより、太陽電池パネル５０による発電量を把握することができる。
【０１１１】
計測器７３は、第１シート部材２に入射する光の光量を計測するタイプのものであれば広く適用可能である。図１１に示す例では、計測器７３は、照度計として構成されている。
照度計７３は、第１シート部材２の一方の面２ａからずれた位置で、当該一方の面２ａと同じ方向を向いている。照度計７３によれば、第１シート部材２に入射する光の光量を把握することが可能となる。
【０１１２】
また、上述した実施の形態では、図２に示すように、第１シート部材２が着色層３と光拡散層４ａとを有し、第２シート部材６が着色層７と光拡散層８ａとを有する例を示したが、第１シート部材２及び第２シート部材６の形態は、上述した形態に限定されない。図１２乃至図２３に、第１シート部材２及び第２シート部材６の変形例を示す。なお、以下で説明するシート部材２０は、第１シート部材２及び第２シート部材６のいずれにも適用可能である。このため、シート部材２０の各構成要素は、「第１」や「第２」の表記を省き別の符号を付している。一例として、シート部材２０の表示面は、第１表示面３ａ及び第２表示面７ａのいずれにも適用可能であり、別の符号「１２」を付している。また、第１シート部材２及び第２シート部材６には、図１乃至図１１を参照して説明したシート部材２、６も適用可能であり、第１シート部材２及び第２シート部材６として、異なるタイプのシート部材を組み合わせて適用することも可能である。
【０１１３】
図１２乃至図１６は、第１シート部材２及び第２シート部材６の一変形例としての、シート部材２０を示す図である。図１２乃至図１６に示すシート部材２０は、互いに対向する一対の主面として、一方の面２０ａ及び他方の面２０ｂを有している。シート部材２０の他方の面２０ｂが接合層５を介して太陽電池パネル５０と剥離可能且つ再接合可能に接合されている。したがって、シート部材２０は、別のシート部材（第２シート部材）と入れ換え可能である。
【０１１４】
図１３に示すように、シート部材２０の他方の面２０ｂは、第１軸方向ｄ１に交互に配列された複数の向き調整面２１及び複数の光透過面２２と、を含んでいる。向き調整面２１には、表示対象１３を表示するための表示面１２が配置されている。向き調整面２１は、表示面１２を支持すると共に、表示面１２を観察し得る視野角を調整するべく設けられている。一方、光透過面２２は、隣り合う表示面１２の間で太陽電池モジュール１に入射する光Ｌ１３２を透過させて、太陽電池パネル５０に導くために設けられている。なお、図示する例では、複数の向き調整面２１は互いに同一に構成され、複数の光透過面２２も互いに同一に構成されている。
【０１１５】
各向き調整面２１及び各光透過面２２は、その配列方向である第１軸方向ｄ１に対して交差する方向に線状に延びている。とりわけ図示された例において、各向き調整面２１及び各光透過面２２は、第１軸方向ｄ１及び太陽電池パネル５０の法線方向ｎｄの両方と直交する第２軸方向ｄ２に、直線状に延びている。また、図１３に示す例では、各向き調整面２１と各光透過面２２とは、法線方向ｎｄからみて互いにずれて配置されている。なお、本実施の形態において、第１軸方向ｄ１及び第２軸方向ｄ２は、太陽電池パネル５０のパネル面に沿っており、太陽電池パネル５０の法線方向ｎｄに直交している。図示された例において、太陽電池モジュール１は、第１軸方向ｄ１が鉛直方向と平行になり第２軸方向ｄ２が水平方向と平行になるようにして、配置されている。
【０１１６】
各向き調整面２１は、太陽電池パネル５０のパネル面に対して傾斜し、太陽電池パネル５０の法線方向ｎｄに対しても傾斜している。すなわち、各向き調整面２１は、太陽電池パネル５０のパネル面及び太陽電池パネル５０の法線方向ｎｄのいずれとも非平行になっている。向き調整面２１と共に当該向き調整面２１に配置された表示面１２を太陽電池パネル５０のパネル面に対して傾斜させることにより、表示面１２に付与された表示対象１３を観察し得る視野角となる第１角度範囲ＡＲ１を、高い自由度で調整することが可能となる。
【０１１７】
図１３に示すように、各向き調整面２１は、第１軸方向ｄ１において一側（図１３における上側であって、鉛直方向における上側）に位置する一端部２１ａが、第１軸方向ｄ１において他側（図１３における下側であって、鉛直方向における下側）に位置する他端部２１ｂよりも、太陽電池パネル５０の法線方向ｎｄにおいて太陽電池パネル５０から離間するように、太陽電池パネル５０のパネル面に対して傾斜している。図１３から理解され得るように、このような向き調整面２１によれば、法線方向ｎｄに対して他側に傾斜した角度範囲に向けて、光が出射しやすくなる。すなわち、向き調整面２１に配置された表示面１２からの表示機能は、法線方向ｎｄに対して他側に傾斜した方向Ｄ１３１から観察されたときに、効果的に発揮されるようになる。
【０１１８】
表示面１２は、向き調整面２１に重なるように当該向き調整面２１に沿って配置されている。ゆえに、向き調整面２１に配置された表示面１２も、第１軸方向ｄ１において一側に位置する一端部１２ａが、第１軸方向ｄ１において他側に位置する他端部１２ｂよりも、太陽電池パネル５０の法線方向ｎｄにおいて太陽電池パネル５０から離間するように、太陽電池パネル５０のパネル面に対して傾斜している。
【０１１９】
表示面１２から第１角度範囲ＡＲ１へ向けて太陽電池モジュール１から出射する光は、表示面１２に付与された表示対象１３を可視化させる。すなわち、第１角度範囲ＡＲ１から表示面１２が視認され、結果として、表示面１２に形成された表示対象１３を観察することができる。なお、表示面１２によって動く表示対象１３を表示する場合、太陽電池パネル５０から発電された電気を駆動に用いることが簡便である。
【０１２０】
図１４に、表示面１２に形成される表示対象１３の一例が示されている。複数の表示面１２が、第１軸方向ｄ１に配列されるとともに、各表示面１２は、第１軸方向ｄ１に直交する第２軸方向ｄ２に直線状に延びている。したがって、第１軸方向ｄ１における各位置に位置する表示面１２が、当該表示面１２の第１軸方向ｄ１における位置に応じた表示対象要素１３ａを付与されることによって、第２軸方向ｄ２に細長く延びる各表示面１２に形成された表示対象要素１３ａの組み合わせとして二次元的な表示対象１３を表示することが可能となる。図１４に示された例では、アルファベットの大文字の「Ｎ」が表示対象１３として表示されている。このように、複数の表示対象要素１３ａの組み合わせとして表示対象１３を表示することで、各向き調整面２１のサイズを小さくできるため、第１角度範囲ＡＲ１を広げたり太陽電池モジュール１のサイズを大きくしたとしても、より良好な表示対象１３を観察できるようになる。
【０１２１】
上述のように、本実施の形態のシート部材２０は、表示対象１３が連続して表示される角度範囲を高い自由度で調整可能である。そのため、本実施の形態の太陽電池モジュール１は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途や、卓上スタンド、携帯端末などで用いられる数ｃｍ〜数十ｃｍの小型パネル用途などを例示することができる。
【０１２２】
一方、隣り合う向き調整面２１の間に位置する各光透過面２２は、太陽電池パネル５０のパネル面に対して傾斜し、太陽電池パネル５０の法線方向ｎｄに対しても傾斜している。すなわち、各向き調整面２１は、太陽電池パネル５０のパネル面及び太陽電池パネル５０の法線方向ｎｄのいずれとも非平行になっている。光透過面２２を太陽電池パネル５０のパネル面に対して傾斜させることにより、太陽電池パネル５０による発電が連続して安定して行われるようになる角度範囲である第２角度範囲ＡＲ２を、高い自由度で調整することが可能となる。
【０１２３】
光透過面２２が太陽電池パネル５０のパネル面に対して傾斜する角度は、向き調整面２１が太陽電池パネル５０のパネル面に対して傾斜する角度と異なっている。とりわけ、図１３に示す太陽電池モジュールの主断面において、光透過面２２は、太陽電池パネル５０の法線方向ｎｄに対して向き調整面２１とは反対側に傾斜している。上述のように、各向き調整面２１は、一端部２１ａが他端部２１ｂよりも太陽電池パネル５０の法線方向ｎｄにおいて太陽電池パネル５０から離間するように、太陽電池パネル５０のパネル面に対して傾斜している。したがって、各光透過面２２は、第１軸方向ｄ１において他側に位置する他端部２２ｂが、第１軸方向ｄ１において一側に位置する一端部２２ａよりも、太陽電池パネル５０の法線方向ｎｄにおいて太陽電池パネル５０から離間するように、太陽電池パネル５０のパネル面に対して傾斜している。図１３から理解され得るように、このような光透過面２２は、法線方向ｎｄに対して一側に傾斜した角度範囲からの光が、入射しやすくなる。したがって、法線方向ｎｄに対して一側に傾斜した方向から太陽電池モジュール１に入射する光Ｌ１３２を、太陽電池パネル５０により導きやすくなる。
【０１２４】
次に、向き調整面２１と光透過面２２との関係について述べる。図１３に示す太陽電池モジュールの主断面において、向き調整面２１と、第１軸方向ｄ１における他側で当該向き調整面２１と隣り合う光透過面２２と、の第１軸方向ｄ１に沿った間隔ｄｔは、太陽電池パネル５０の法線方向ｎｄにおいて太陽電池パネル５０に接近していくにつれて、段階的又は連続的に狭くなっていく。したがって、向き調整面２１の他端部２１ｂは、他側に位置する光透過面２２の一端部２２ａと最も接近する。図示された実施の形態では、向き調整面２１の他端部２１ｂは、他側に位置する光透過面２２の一端部２２ａと繋がっている。もっとも、向き調整面２１の他端部２１ｂは、他側に位置する光透過面２２の一端部２２ａから離間していてもよい。
【０１２５】
一方、向き調整面２１の一端部２１ａは、第１軸方向ｄ１における一側で当該向き調整面２１と隣り合う光透過面２２の他端部２２ｂと繋がっている。もっとも、向き調整面２１の一端部２１ａは、第１軸方向ｄ１における一側で当該向き調整面２１と隣り合う光透過面２２の他端部２２ｂから離間していてもよい。
【０１２６】
また、図１３に示す主切断面において、向き調整面２１は、当該向き調整面２１と隣り合う光透過面２２の長さと等しくなっている。したがって、シート部材２０の他方の面２０ｂに占める向き調整面２１の割合は、シート部材２０の他方の面２０ｂに占める光透過面２２の割合と等しい。ただし、図１３に示す主切断面において、向き調整面２１は、当該向き調整面２１と隣り合う光透過面２２の長さと異なっていてもよい。
【０１２７】
また、図１３に示す例では、向き調整面２１が太陽電池パネル５０のパネル面に対してなす角度θ１は、光透過面２２が太陽電池パネル５０のパネル面に対してなす角度θ２と等しい。ただし、向き調整面２１が太陽電池パネル５０のパネル面に対してなす角度θ１は、観察されることが意図された観察者による観察方向に応じて決定され、光透過面２２が太陽電池パネル５０のパネル面に対してなす角度θ２は、取り込むことが意図された外光の入射方向に応じて決定される。したがって、向き調整面２１が太陽電池パネル５０のパネル面に対してなす角度θ１は、光透過面２２が太陽電池パネル５０のパネル面に対してなす角度θ２と異なっていてもよい。
【０１２８】
また、図１３に示す例では、各向き調整面２１及び各光透過面２２が、平坦面からなる。ただし、このような例に限定されず、各向き調整面２１及び各光透過面２２は、曲面からなってもよい。一例として、各向き調整面２１及び各光透過面２２は、レンズ面のような球面乃至湾曲面の一部をなしてもよい。より具体的には、各向き調整面２１及び各光透過面２２は、外方側に向かって凸となるように湾曲したレンズ面であってもよいし、内方側に向かって凹となるように湾曲したレンズ面であってもよい。
【０１２９】
同様に、図１３に示す例では、表示面１２が平坦面からなる。ただし、このような例に限定されず、表示面１２は、曲面からなってもよい。一例として、各表示面１２は、レンズ面のような球面乃至湾曲面の一部をなしてもよい。より具体的には、各表示面１２は、外方側に向かって凸となるように湾曲したレンズ面であってもよいし、内方側に向かって凹となるように湾曲したレンズ面であってもよい。本明細書において、表示面１２が曲面からなる場合、「表示面１２が平面に対して傾斜する」とは、図１３に示す主切断面において、表示面１２の両端部１２ａ、１２ｂを結ぶ直線が平面に対して傾斜することを意味する。
【０１３０】
シート部材２０を製造する方法は、立体な本体部２３を形成する工程と、その本体部２３に表示面１２を形成する材料を配置する工程とを備えてもよい。シート部材２０が立体的な形状であるため、本体部２３の形成と表示面１２の形成を別の工程でおこなう方がシート部材２０の製造が容易になる。立体的な本体部２３を形成する方法としては、型を用いた成形法や３Ｄプリンターなどを用いた立体印刷法が挙げられる。表示面１２を配置する方法としては、ブラシ、ゴムローラー、インクジェットプリンターなどを用いてインキ材料を本体部２３に印刷する方法や、印刷されたシート材料及び本体部２３を貼り合わせる方法が挙げられる。
【０１３１】
立体的な本体部２３は再利用して、時間や費用を節約することができる。本体部２３を再利用する方法としては、本体部２３から表示面１２を形成する材料を除去した後、本体部に再び表示面１２’を形成する材料を配置する方法が挙げられる。本体部２３から表示面１２を形成する材料を除去する方法としては、本体部２３及び材料の間に本体部２３及び材料を剥離可能に接合する剥離層（図示しない）を配置する方法が挙げられ、例えば、本体部２３に剥離層を形成した後、剥離層上にインキ材料やシート材料を配置することや、シート材料に剥離層を形成した後、本体部２３に剥離層付きのシート材料を貼り付けることができる。この場合、剥離層に対して接合可能な接合領域及び剥離層に対して接合不可能な非接合領域を本体部２３に設けてもよい。表示面１２を形成する材料の大部分を接合領域上に配置しつつ材料の一部を非接合領域上に配置して、非接合領域上に配置された本体部２３に接合していない材料をきっかけにして材料を剥離することによって、剥離が容易になる。剥離層は、剥離剤を添加することによって、形成することができる。剥離剤としては、シリコーン系材料、フッ素系材料、アンモニウム系材料、硬化ポリマー、無機粒子などが挙げられる。
【０１３２】
本体部２３から表示面１２を形成する材料を除去する別の方法としては、表示面１２を形成する材料として、上述した剥離剤が添加された材料を用いる方法が挙げられる。材料に剥離剤を添加することによって、本体部２３に対する材料の密着性が低下し、いったん接合後に本体部２３から材料を剥離できるようになる。剥離剤の添加が容易であるため、この方法は表示面１２を形成する材料としてインキ材料を用いる場合に好適である。
【０１３３】
本体部２３から表示面１２を形成する材料を除去するさらに別の方法としては、表示面１２を形成する材料に対して可溶でありかつ本体部２３に対して不溶又は難溶である洗浄液を使用して、シート部材２０を洗浄する方法が挙げられる。例えば、表示面１２を形成する材料に未硬化ポリマーなどの溶剤に可溶性のポリマーを添加し、本体部を硬化ポリマーなどの溶剤に不溶性又は難溶性のポリマーで形成し、洗浄液として、水、アルコール、エステル、ケトンなどの溶剤を洗浄液として用いる。また、溶媒としての溶剤を含むインキ材料を本体部２３に印刷して表示面１２を配置した後、その溶剤と同じ溶剤を含む洗浄液で洗浄して表示面１２を除去することが可能となるため、この方法は表示面１２を形成する材料としてインキ材料を用いる場合に好適である。
【０１３４】
次に、主として、図１５及び図１６を参照しながら、太陽電池モジュール１の作用について説明する。太陽電池モジュール１は、例えば、向き調整面２１及び光透過面２２の配列方向である第１軸方向ｄ１が鉛直方向に沿うようにして、配置される。具体的には、第１軸方向ｄ１における一側が、鉛直方向における上側に沿い、第１軸方向ｄ１における他側が、鉛直方向における下側に沿うように、太陽電池モジュール１が配置される。
【０１３５】
図１５によく示されているように、傾斜した向き調整面２１に配置された表示面１２は、当該表示面１２の正面方向から視認され易い。図１５に示す例では、表示面１２が太陽電池パネル５０の法線方向ｎｄに対して第１軸方向ｄ１における一側に傾斜しているため、当該法線方向ｎｄに対して第１軸方向ｄ１における他側に傾斜した方向Ｄ１５１、Ｄ１５２、Ｄ１５３から太陽電池モジュール１を観察したときに表示面１２を視認し易くなる。このように、向き調整面２１を太陽電池パネル５０の法線方向ｎｄに対して傾斜させることにより、向き調整面２１に位置する表示面１２が観察される視野角となる第１角度範囲ＡＲ１を、高い自由度で調整することができる。したがって、観察者は、優れた視認性で表示対象１３を観察することができ、且つ、優れた意匠性で表示対象１３を表示することができる。
【０１３６】
一方、向き調整面２１とは異なる角度で傾斜した光透過面２２は、向き調整面２１を視認し易い方向Ｄ１５１、Ｄ１５２、Ｄ１５３とは異なる方向から入射する光Ｌ１６１、Ｌ１６２、Ｌ１６３を効率的に取り込むことが可能となる。図１６に示す例では、光透過面２２が太陽電池パネル５０の法線方向ｎｄに対して第１軸方向ｄ１における他側に傾斜しているため、当該法線方向ｎｄに対して第１軸方向ｄ１における一側に傾斜した方向から太陽電池モジュール１に入射する光Ｌ１６１、Ｌ１６２、Ｌ１６３を効率的に取り込むことが可能となる。光透過面２２に取り込まれた光Ｌ１６１、Ｌ１６２、Ｌ１６３は、空気層３０内を進行して太陽電池パネル５０に導かれる。このように、光透過面２２を向き調整面２１とは異なる角度で太陽電池パネル５０の法線方向ｎｄに対して傾斜させることにより、太陽電池パネル５０に導かれるようになる太陽電池モジュール１への入射方向の角度範囲である第２角度範囲ＡＲ２を、高い自由度で調整することができる。したがって、本実施の形態による太陽電池モジュール１では、時間帯や季節に応じて入射方向を変化させる太陽光を効率的に受光して、太陽電池パネル５０での発電に利用することが可能となる。
【０１３７】
以上のように、図１２乃至図１６に示すシート部材２０によれば、一方の面２０ａ及び一方の面２０ａに対向する他方の面２０ｂを有するシート部材２０と、シート部材２０の他方の面２０ｂに対向して配置された太陽電池パネル５０と、を備え、シート部材２０には、各々が太陽電池パネル５０のパネル面に対して傾斜した複数の表示面１２が一軸方向ｄ１に沿って配列されている。このようなシート部材２０によれば、表示面１２が太陽電池パネル５０のパネル面に対して傾斜しているため、傾斜した表示面１２がその正面方向となる方向Ｄ１３１、Ｄ１５１〜Ｄ１５３から観察され易くなる。一方、表示面１２を視認し易い方向Ｄ１３１、Ｄ１５１〜Ｄ１５３とは異なる別の方向から太陽電池モジュール１に入射する光束Ｌ１３２、Ｌ１６１〜Ｌ１６３は、隣り合う２つの表示面１２の間を透過して太陽電池パネル５０に導かれる。このように、観察者からの観察方向Ｄ１３１、Ｄ１５１〜Ｄ１５３と外光Ｌ１３２、Ｌ１６１〜Ｌ１６３の入射方向との相違を利用して、周囲の環境との調和を図ると共に、表示面１２による表示及び太陽電池パネル５０による発電の両立が効果的に可能となる。
【０１３８】
また、図１２乃至図１６に示すシート部材２０によれば、シート部材２０の他方の面２０ｂは、一軸方向ｄ１に交互に配列された複数の向き調整面２１及び複数の光透過面２２と、を含み、向き調整面２１は、太陽電池パネル５０のパネル面に対して傾斜し、光透過面２２は、太陽電池パネル５０のパネル面に対して向き調整面２１とは異なる角度で傾斜し、向き調整面２１に表示面１２が配置されている。このような形態によれば、向き調整面２１及び光透過面２２が太陽電池パネル５０のパネル面に対して傾斜しているため、傾斜した向き調整面２１及び光透過面２２が、各々の正面方向から入射する光を有効に利用し易くなる。とりわけ、光透過面２２は、向き調整面２１と異なる角度で太陽電池パネル５０のパネル面に対して傾斜している。このため、向き調整面２１に配置された表示面１２は、光透過面２２に取り込まれ易い光Ｌ１３２、Ｌ１６１〜Ｌ１６３の傾斜する方向とは異なる方向Ｄ１３１、Ｄ１５１〜Ｄ１５３から太陽電池モジュール１を観察したときに視認され易くなり、光透過面２２は、向き調整面２１を視認し易い方向Ｄ１３１、Ｄ１５１〜Ｄ１５３とは異なる方向から太陽電池モジュール１に入射する光Ｌ１３２、Ｌ１６１〜Ｌ１６３を有効に取り込む。この結果、表示面１２による表示及び太陽電池パネル５０による発電の両立が効果的に可能となる。
【０１３９】
ところで、向き調整面２１に配置された表示面１２にて形成される表示対象１３を観察している際に、表示対象１３とともに光透過面２２を介して太陽電池パネル５０が観察されると、表示対象１３の視認性や意匠性を著しく害することになる。したがって、表示面１２が観察され得る第１角度範囲ＡＲ１は、太陽電池パネル５０が観察されるようになる第２角度範囲ＡＲ２と区分けされていること、すなわち重なり合っていないことが好ましい。
【０１４０】
そこで、本実施の形態の太陽電池モジュール１では、図１３に示す主切断面において、向き調整面２１は、太陽電池パネル５０の法線方向ｎｄに対して光透過面２２とは逆側に傾斜している。このような形態によれば、向き調整面２１に配置された表示面１２は、光透過面２２に取り込まれ易い光Ｌ１３２、Ｌ１６１〜Ｌ１６３の傾斜する方向とは逆の方向Ｄ１３１、Ｄ１５１〜Ｄ１５３から太陽電池モジュール１を観察したときに選択的に観察され易くすることができ、光透過面２２は、向き調整面２１を視認し易い方向Ｄ１３１、Ｄ１５１〜Ｄ１５３とは逆の方向から太陽電池モジュール１に入射する光Ｌ１３２、Ｌ１６１〜Ｌ１６３を選択的に取り込むことができる。具体的には、向き調整面２１は、一端部２１ａが他端部２１ｂよりも太陽電池パネル５０の法線方向ｎｄにおいて太陽電池パネル５０から離間するように、太陽電池パネル５０のパネル面に対して傾斜し、光透過面２２は、他端部２２ｂが一端部２２ａよりも太陽電池パネル５０の法線方向ｎｄにおいて太陽電池パネル５０から離間するように、太陽電池パネル５０のパネル面に対して傾斜している。この場合、太陽電池パネル５０の法線方向ｎｄに対して第１軸方向ｄ１における他側に傾斜した方向Ｄ１３１、Ｄ１５１〜Ｄ１５３から太陽電池モジュール１を観察したときに、光透過面２２よりも向き調整面２１に配置された表示面１２を選択的に観察し易くすることができる。また、太陽電池パネル５０の法線方向ｎｄに対して第１軸方向ｄ１における一側に傾斜した方向から太陽電池モジュール１へ入射する光Ｌ１３２、Ｌ１６１〜Ｌ１６３を、向き調整面２１よりも光透過面２２に選択に導くことができる。
【０１４１】
つまり、このような形態によれば、向き調整面２１に配置された表示面１２を観察し得る視野角となる第１角度範囲ＡＲ１が、太陽電池パネル５０の法線方向ｎｄに対して第１軸方向ｄ１における他側に傾斜した方向に対応し、光透過面２２を介して太陽電池パネル５０に導かれるようになる太陽電池モジュール１への入射方向の角度範囲である第２角度範囲ＡＲ２が、太陽電池パネル５０の法線方向ｎｄに対して第１軸方向ｄ１における一側に傾斜した方向に対応する。言い換えると、一軸方向ｄ１において他側に傾斜した方向から太陽電池モジュール１を観察したときに表示面１２が観察され、一軸方向ｄ１において一側に傾斜した方向から太陽電池モジュール１に入射した光が、隣り合う２つの表示面１２の間を通過して太陽電池パネル５０に到達する。この場合、第１角度範囲ＡＲ１と第２角度範囲ＡＲ２とが、区分けされやすくなる。言い換えると、第１角度範囲ＡＲ１と第２角度範囲ＡＲ２とが、重なり合いにくくなる。
【０１４２】
このように第１角度範囲ＡＲ１と第２角度範囲ＡＲ２との重なり合いが少なくなれば、表示面１２による表示機能及び太陽電池パネル５０での発電機能が、互いに悪影響を及ぼすことなく、より有効に発揮されるようになる。本実施の形態においては、表示面１２に付与された表示対象１３を観察している際に、表示対象１３とともに光透過面２２を介して太陽電池パネル５０が観察されることを抑制することが可能となる。この場合、表示対象１３の視認性や表示対象１３の意匠性を改善することができる。
【０１４３】
とりわけ、本実施の形態による太陽電池モジュール１では、表示面１２を観察し得る視野角となる第１角度範囲ＡＲ１を鉛直方向における下側に傾斜した方向に設定し、太陽電池パネル５０に導かれるようになる太陽電池モジュール１への入射方向の角度範囲である第２角度範囲ＡＲ２を鉛直方向における上側に傾斜した方向に設定している。この場合、典型的な利用として想定される表示板としての用途において太陽電池モジュール１を目線よりも高い位置に設置する場合に有効である。観察者は、鉛直方向における上側に見上げながら太陽電池モジュール１を観察するため、第１角度範囲ＡＲ１から表示面１２に付与された表示対象１３を観察することができる。一方、太陽光は、時間帯や季節に応じて入射方向が変化するが、鉛直方向における下側に傾斜した方向、あるいは、略水平方向に進みながら太陽電池モジュール１に入射する。このため、太陽光は、時間帯や季節に応じて入射方向が変化しても、第２角度範囲ＡＲ２から光透過面２２に入射して太陽電池パネル５０に向かうことができる。したがって、このような形態によれば、太陽電池パネル５０による太陽光の受光及び表示面１２による表示を効果的に両立させることができる。
【０１４４】
また、本実施の形態によれば、太陽電池モジュール１の主切断面において、向き調整面２１と、第１軸方向ｄ１における他側で当該向き調整面２１と隣り合う光透過面２２と、の第１軸方向ｄ１に沿った間隔ｄｔは、太陽電池パネル５０の法線方向ｎｄにおいて太陽電池パネル５０に接近していくにつれて、狭くなっていく。このような形態によれば、向き調整面２１に配置された表示面１２が、光透過面２２へ入射すべき光を遮ってしまうこと、あるいは、光透過面２２が、向き調整面２１に配置された表示面１２の観察を遮ってしまうこと、を効果的に抑制することができる。このため、表示面１２が、第１角度範囲ＡＲ１内の方向から太陽電池モジュール１を観察したときに、より確実に表示機能を発揮することができる。また、光透過面２２が、第２角度範囲ＡＲ２から太陽電池モジュール１へ入射する光をより確実に太陽電池パネル５０へ導くことができる。
【０１４５】
ところで、下記の表１は、世界の幾つかの国の主要な都市における季節ごとの南中高度（°）を示している。使用が想定される国の主要な都市における春分秋分の南中高度が第２角度範囲ＡＲ２に含まれることが好ましい。その国で有効に使用できる可能性が高いからである。例えば、使用されることが想定される国が日本の場合は５４°から５６°までの高度が第２角度範囲ＡＲ２に含まれるようにすればよい。さらに、４９°から６１°までの高度が第２角度範囲ＡＲ２に含まれるようにすれば、世界の多くの国で有効に使用できる可能性が高いため、好ましい。また、使用が想定される国の主要な都市における夏至の南中高度から冬至の南中高度までが第２角度範囲ＡＲ２に含まれることがさらに好ましい。その国で一年を通して有効に使用できる可能性が高いからである。例えば、使用されることが想定される国が日本の場合は３１°から７９°までの高度が第２角度範囲ＡＲ２に含まれるようにすればよい。さらに、２５°から８４°までの高度が第２角度範囲ＡＲ２に含まれるようにすれば、世界の多くの国で有効に使用できる可能性が高いため、好ましい。なお、所望の高度が第２角度範囲ＡＲ２に含まれることを容易にするために、第２角度範囲ＡＲ２の角度範囲が４５°程度以上連続していることが好ましい。もっとも、太陽電池モジュール１を傾けて配置することによって、所望の高度を第２角度範囲ＡＲ２に含まれるようにすることも可能である。一方、第２角度範囲ＡＲ２の角度範囲の上限については、第１角度範囲ＡＲ１とのバランスで適宜設定すればよいが、１３５°程度未満とすることによって、本実施の形態の太陽電池モジュール１の特長をより発揮させることができる。
【０１４６】
【表１】
0006590246.tif 000002
【０１４７】
次に、図１７を参照して、第１シート部材２及び第２シート部材６の別の変形例を説明する。図１７に示すシート部材２０では、一方の面２０ａが、第１軸方向ｄ１に交互に配列された複数の向き調整面２１及び複数の光透過面２２を含んでいる。向き調整面２１には、表示対象１３を表示するための表示面１２が配置されている。
【０１４８】
各向き調整面２１及び各光透過面１２は、その配列方向である第１軸方向ｄ１に対して交差する方向、より詳細には、第１軸方向ｄ１及び法線方向ｎｄの両方と直交する第２軸方向ｄ２に、直線状に延びている。各向き調整面２１及び各光透過面１２は、シート部材２０のシート面、言い換えると、太陽電池パネル５０のパネル面に対して互いに異なる角度で傾斜し、シート部材２０の法線方向ｎｄに対しても互いに異なる角度で傾斜している。
【０１４９】
次に、図１７に示す太陽電池モジュール１の作用について説明する。
【０１５０】
図１７によく示されているように、傾斜した向き調整面２１に配置された表示面１２は、当該表示面１２の正面方向から視認され易い。図１７に示す例では、表示面１２が太陽電池パネル５０の法線方向ｎｄに対して第１軸方向ｄ１における一側に傾斜しているため、当該法線方向ｎｄに対して第１軸方向ｄ１における他側に傾斜した方向Ｄ１７１から太陽電池モジュール１０を観察したときに表示面１２を視認し易くなる。
【０１５１】
一方、向き調整面２１とは異なる角度で傾斜した光透過面２２は、向き調整面２１を視認し易い方向Ｄ１７１とは異なる方向から入射する光Ｌ１７２を効率的に取り込むことが可能となる。図１７に示す例では、光透過面２２が太陽電池パネル５０の法線方向ｎｄに対して第１軸方向ｄ１における他側に傾斜しているため、当該法線方向ｎｄに対して第１軸方向ｄ１における一側に傾斜した方向から太陽電池モジュール１に入射する光Ｌ１７２を効率的に取り込むことが可能となる。光透過面２２に取り込まれた光Ｌ１７２は、シート部材２０内を進行して太陽電池パネル５０に導かれる。
【０１５２】
以上のように、図１７に示す形態によれば、一方の面２０ａ及び一方の面２０ａに対向する他方の面２０ｂを有するシート部材２０と、シート部材２０の他方の面２０ｂに対向して配置された太陽電池パネル５０と、を備え、シート部材２０には、各々が太陽電池パネル５０のパネル面に対して傾斜した複数の表示面１２が一軸方向ｄ１に沿って配列されている。このようなシート部材２０によれば、表示面１２が太陽電池パネル５０のパネル面に対して傾斜しているため、傾斜した表示面１２がその正面方向となる方向Ｄ１７１から観察され易くなる。一方、表示面１２を視認し易い方向Ｄ１７１とは異なる別の方向から太陽電池モジュール１に入射する光束Ｌ１７２は、隣り合う２つの表示面１２の間を透過して太陽電池パネル５０に導かれる。このように、観察者からの観察方向Ｄ１７１と外光Ｌ１７２の入射方向との相違を利用して、周囲の環境との調和を図ると共に、表示面１２による表示及び太陽電池パネル５０による発電の両立が効果的に可能となる。
【０１５３】
また、本実施の形態によれば、シート部材２０の一方の面２０ａは、一軸方向ｄ１に交互に配列された複数の向き調整面２１及び複数の光透過面２２と、を含み、向き調整面２１は、太陽電池パネル５０のパネル面に対して傾斜し、光透過面２２は、太陽電池パネル５０のパネル面に対して向き調整面２１とは異なる角度で傾斜し、向き調整面２１に表示面１２が配置されている。このような形態によれば、向き調整面２１及び光透過面２２が太陽電池パネル５０のパネル面に対して傾斜しているため、傾斜した向き調整面２１及び光透過面２２が、各々の正面方向から入射する光を有効に利用し易くなる。とりわけ、光透過面２２は、向き調整面２１と異なる角度で太陽電池パネル５０のパネル面に対して傾斜している。このため、向き調整面２１に配置された表示面１２は、光透過面２２に取り込まれ易い光Ｌ１７２の傾斜する方向とは異なる方向Ｄ１７１から太陽電池モジュール１を観察したときに視認され易くなり、光透過面２２は、向き調整面２１を視認し易い方向Ｄ１７１とは異なる方向から太陽電池モジュール１に入射する光Ｌ１７２を有効に取り込む。この結果、表示面１２による表示及び太陽電池パネル５０による発電の両立が効果的に可能となる。
【０１５４】
次に、図１８を参照して太陽電池モジュール１の別の変形例について説明する。図１８に示す例では、シート部材２０の他方の面２０ｂは、第１軸方向ｄ１に沿って配列された複数のレンズ面３１を含み、各表示面１２は、各々に対応するレンズ面３１の一部に沿って配置されている。各レンズ面３１及び表示面１２は、第１軸方向ｄ１に交差する方向、より詳細には第１軸方向ｄ１に直交する第２軸方向ｄ２に沿って延びている。
【０１５５】
ここで、レンズ面３１の両端部のうち、第１軸方向ｄ１において一側（図１８における上側であって、鉛直方向における上側）に位置する端部を一端部３１ａと呼び、第１軸方向ｄ１において他側（図１８における下側であって、鉛直方向における下側）に位置する端部を他端部３１ｂと呼び、一端部３１ａ及び他端部３１ｂから太陽電池パネル５０の法線方向ｎｄに沿って最も離れた地点を頂部３１ｃと呼ぶこととする。本実施の形態の頂部３１ｃは、レンズ面３１のうちの太陽電池パネル５０から最も離間した地点となる。そして、この頂部３１ｃをレンズ面３１の光軸ｏｄが通過している。
【０１５６】
図１８に示す各表示面１２は、対応するレンズ面３１のうちの、一端部３１ａと頂部３１ｃとの間となる領域の一部または全部を覆い、他端部３１ｂと頂部３１ｃとの間となる領域を覆っていない。このため、表示面１２は、第１軸方向ｄ１において一側に位置する一端部１２ａが、第１軸方向ｄ１において他側に位置する他端部１２ｂよりも、太陽電池パネル５０の法線方向ｎｄにおいて太陽電池パネル５０から離間するように、太陽電池パネル５０のパネル面に対して傾斜している。
【０１５７】
以上のように、図１８に示す形態によれば、一方の面２０ａ及び一方の面２０ａに対向する他方の面２０ｂを有するシート部材２０と、シート部材２０の他方の面２０ｂに対向して配置された太陽電池パネル５０と、を備え、シート部材２０には、各々が太陽電池パネル５０のパネル面に対して傾斜した複数の表示面１２が一軸方向ｄ１に沿って配列されている。このようなシート部材２０によれば、表示面１２が太陽電池パネル５０のパネル面に対して傾斜しているため、傾斜した表示面１２がその正面方向となる方向Ｄ１８１から観察され易くなる。一方、表示面１２を視認し易い方向Ｄ１８１とは異なる別の方向から太陽電池モジュール１に入射する光束Ｌ１８２は、隣り合う２つの表示面１２の間を透過して太陽電池パネル５０に導かれる。このように、観察者からの観察方向Ｄ１８１と外光Ｌ１８２の入射方向との相違を利用して、周囲の環境との調和を図ると共に、表示面１２による表示及び太陽電池パネル５０による発電の両立が効果的に可能となる。
【０１５８】
また、本実施の形態によれば、シート部材２０の他方の面２０ｂは、一軸方向ｄ１に沿って配列された複数のレンズ面３１を含み、各表示面１２は、各々に対応するレンズ面３１の一部に沿って配置されている。この場合、各レンズ面３１の一部に表示面１２を配置することで実現することができるため、太陽電池モジュール１の製造が容易である。
【０１５９】
なお、図１８に示す太陽電池モジュール１では、レンズ面３１が太陽電池パネル５０側に向かって突出する凸レンズからなる例を示したが、レンズ面３１の形態はこのような例に限定されない。図１９に、レンズ面３１が一方の面２０ａ側に向かって凹む凹レンズからなる例を示す。
【０１６０】
図１９に示す各表示面１２は、対応するレンズ面３１のうちの、他端部３１ｂと頂部３１ｃとの間となる領域の一部または全部を覆い、一端部３１ａと頂部３１ｃとの間となる領域を覆っていない。このため、表示面１２は、第１軸方向ｄ１において一側に位置する一端部１２ａが、第１軸方向ｄ１において他側に位置する他端部１２ｂよりも、太陽電池パネル５０の法線方向ｎｄにおいて太陽電池パネル５０から離間するように、太陽電池パネル５０のパネル面に対して傾斜している。このような形態であっても、上述の形態と同様な作用効果を奏することができる。
【０１６１】
次に、図２０を参照して太陽電池モジュール１の別の変形例について説明する。図２０に示す例では、シート部材２０の一方の面２０ａが、第１軸方向ｄ１に沿って配列された複数のレンズ面３１を含み、各表示面１２は、各々に対応するレンズ面３１の一部に沿って配置されている。各レンズ面３１及び表示面１２は、第１軸方向ｄ１に交差する方向、より詳細には第１軸方向ｄ１に直交する第２軸方向ｄ２に沿って延びている。
【０１６２】
ここで、レンズ面３１の両端部のうち、第１軸方向ｄ１において一側（図２０における上側であって、鉛直方向における上側）に位置する端部を一端部３１ａと呼び、第１軸方向ｄ１において他側（図２０における下側であって、鉛直方向における下側）に位置する端部を他端部３１ｂと呼び、一端部３１ａ及び他端部３１ｂから太陽電池パネル５０の法線方向ｎｄに沿って最も離れた地点を頂部３１ｃと呼ぶこととする。本実施の形態の頂部３１ｃは、レンズ面３１のうちの太陽電池パネル５０から最も離間した地点となる。そして、この頂部３１ｃをレンズ面３１の光軸ｏｄが通過している。
【０１６３】
図２０に示す各表示面１２は、対応するレンズ面３１のうちの、他端部３１ｂと頂部３１ｃとの間となる領域の一部または全部を覆い、一端部３１ａと頂部３１ｃとの間となる領域を覆っていない。このため、表示面１２は、第１軸方向ｄ１において一側に位置する一端部１２ａが、第１軸方向ｄ１において他側に位置する他端部１２ｂよりも、太陽電池パネル５０の法線方向ｎｄにおいて太陽電池パネル５０から離間するように、太陽電池パネル５０のパネル面に対して傾斜している。
【０１６４】
以上のように、図２０に示す形態によれば、一方の面２０ａ及び一方の面２０ａに対向する他方の面２０ｂを有するシート部材２０と、シート部材２０の他方の面２０ｂに対向して配置された太陽電池パネル５０と、を備え、シート部材２０には、各々が太陽電池パネル５０のパネル面に対して傾斜した複数の表示面１２が一軸方向ｄ１に沿って配列されている。このような太陽電池モジュール１によれば、表示面１２が太陽電池パネル５０のパネル面に対して傾斜しているため、傾斜した表示面１２がその正面方向となる方向Ｄ２０１から観察され易くなる。一方、表示面１２を視認し易い方向Ｄ２０１とは異なる別の方向から太陽電池モジュール１に入射する光束Ｌ２０２は、隣り合う２つの表示面１２の間を透過して太陽電池パネル５０に導かれる。このように、観察者からの観察方向Ｄ２０１と外光Ｌ２０２の入射方向との相違を利用して、周囲の環境との調和を図ると共に、表示面１２による表示及び太陽電池パネル５０による発電の両立が効果的に可能となる。
【０１６５】
また、本実施の形態によれば、シート部材２０の一方の面２０ａは、一軸方向ｄ１に沿って配列された複数のレンズ面３１を含み、各表示面１２は、各々に対応するレンズ面３１の一部に沿って配置されている。この場合、各レンズ面３１の一部に表示面１２を配置することで実現することができるため、太陽電池モジュール１の製造が容易である。
【０１６６】
なお、図２０に示す太陽電池モジュール１では、レンズ面３１が太陽電池パネル５０とは反対側に向かって突出する凸レンズからなる例を示したが、レンズ面３１の形態はこのような例に限定されない。図２１に、レンズ面３１が他方の面２０ｂ側に向かって凹む凹レンズからなる例を示す。
【０１６７】
図２１に示す各表示面１２は、対応するレンズ面３１のうちの、一端部３１ａと頂部３１ｃとの間となる領域の一部または全部を覆い、他端部３１ｂと頂部３１ｃとの間となる領域を覆っていない。このため、表示面１２は、第１軸方向ｄ１において一側に位置する一端部１２ａが、第１軸方向ｄ１において他側に位置する他端部１２ｂよりも、太陽電池パネル５０の法線方向ｎｄにおいて太陽電池パネル５０から離間するように、太陽電池パネル５０のパネル面に対して傾斜している。このような形態であっても、上述の形態と同様な作用効果を奏することができる。
【０１６８】
次に、図２２を参照して太陽電池モジュール１のさらに別の変形例について説明する。図２２に示す例では、シート部材２０は、複数の表示面１２が配列されたルーバーシートを構成している。図２２に示すシート部材２０の一方の面２０ａ及び他方の面２０ｂは、平坦な面になっており、シート部材２０内に複数の表示面１２が配列されている。複数の表示面１２は、第１軸方向ｄ１に沿って配列されており、第１軸方向ｄ１に交差する方向、より詳細には直交する第２軸方向ｄ２に延びている。シート部材２０のうち、隣り合う２つの表示面１２の間となる領域は、光透過領域２５を規定する。
【０１６９】
シート部材２０の一方の面２０ａに支持シート４０が貼り合わせられている。支持シート４０は、シート部材２０を補強し当該シート部材２０を支持するために設けられている。
【０１７０】
次に、太陽電池モジュール１の作用について説明する。
【０１７１】
図２２によく示されているように、太陽電池パネル５０のパネル面に対して傾斜した表示面表示面１２は、当該表示面１２の正面方向から視認され易い。図２２に示す例では、表示面１２が太陽電池パネル５０の法線方向ｎｄに対して第１軸方向ｄ１における一側に傾斜しているため、当該法線方向ｎｄに対して第１軸方向ｄ１における他側に傾斜した方向Ｄ２２１から太陽電池モジュール１を観察したときに表示面１２を視認し易くなる。
【０１７２】
一方、表示面１２に対してなす角度がより小さい方向からシート部材２０内を進行する光Ｌ２２２ほど、表示面１２に受光され難い。このことから、傾斜した表示面１２に遮られずに光透過領域２５を有効に通過する光Ｌ２２２は、図２２に示すように、表示面１２を視認しやすい方向Ｄ２２１とは逆側に傾斜した光Ｌ２２２となる。つまり、第１軸方向ｄ１において他側に進みながらシート部材２０へ入射する光、図示する例では、鉛直方向における下方に進みながらシート部材２０へ入射する光Ｌ２２２が、光透過領域２５を通過して太陽電池パネル５０に導かれ易くなる。
【０１７３】
以上のように、図２２に示す形態によれば、一方の面２０ａ及び一方の面２０ａに対向する他方の面２０ｂを有するシート部材２０と、シート部材２０の他方の面２０ｂに対向して配置された太陽電池パネル５０と、を備え、シート部材２０には、各々が太陽電池パネル５０のパネル面に対して傾斜した複数の表示面１２が一軸方向ｄ１に沿って配列されている。このような太陽電池モジュール１によれば、表示面１２が太陽電池パネル５０のパネル面に対して傾斜しているため、傾斜した表示面１２がその正面方向となる方向Ｄ２２１から観察され易くなる。一方、表示面１２を視認し易い方向Ｄ２２１とは異なる別の方向から太陽電池モジュール１に入射する光束Ｌ２２２は、隣り合う２つの表示面１２の間を透過して太陽電池パネル５０に導かれる。このように、観察者からの観察方向Ｄ２２１と外光Ｌ２２２の入射方向との相違を利用して、周囲の環境との調和を図ると共に、表示面１２による表示及び太陽電池パネル５０による発電の両立が効果的に可能となる。
【０１７４】
また、本実施の形態によれば、複数の表示面１２は、シート部材２０内部に配置されている。この場合、シート部材２０をなす材料にて表示面１２を保護することができる点で有利である。
【０１７５】
次に、図２３を参照して太陽電池モジュール１のさらに別の変形例について説明する。図２３に示す例では、太陽電池モジュール１は、シート状のシート部材２０と、シート部材２０の他方の面２０ｂに対向して配置された太陽電池パネル５０と、を有する。
【０１７６】
シート部材２０の一方の面２０ａは、第１軸方向ｄ１に配列された複数のレンズ面３１を含んでいる。複数のレンズ面３１は、その光軸ｏｄが互いに平行となるようにして、並べられている。とりわけ図示された例において、レンズ面３１は、その光軸ｏｄが、太陽電池モジュール１の法線方向ｎｄと平行となるよう配置されている。
【０１７７】
レンズ面３１は、いわゆるレンチキュラーレンズまたはシリンドリカルレンズを構成している。すなわち、各レンズ面３１は、その配列方向である第１軸方向ｄ１に対して交差する方向、より詳細には第１軸方向ｄ１に直交する第２方向ｄ２に、直線状に延びている。
【０１７８】
複数の表示面１２が、レンズ面３１に対応して、シート部材２０内で第１軸方向ｄ１に沿って配列されている。図２３に示すように、各表示面１２は、対応するレンズ面３１と法線方向ｎｄに沿って少なくとも部分的に対面するようにして、配置されている。本実施の形態では、表示面１２は、レンズ面３１と同様に、配列方向である第１軸方向ｄ１と交差する方向、より厳密には、第１軸方向ｄ１と直交する第２方向ｄ２に直線状に延びている。また、各表示面１２は、太陽電池パネル５０のパネル面及び太陽電池パネル５０の法線方向ｎｄに対して傾斜している。
【０１７９】
次に、本実施の形態による太陽電池モジュール１の作用について説明する。
【０１８０】
図２３によく示されているように、傾斜した表示面１２は、当該表示面１２の正面方向から視認され易い。本実施の形態では、表示面１２が太陽電池パネル５０の法線方向ｎｄに対して第１軸方向ｄ１における一側に傾斜しているため、当該法線方向ｎｄに対して第１軸方向ｄ１における他側に傾斜した方向Ｄ２３１、Ｄ２３２から太陽電池モジュール１を観察したときに表示面１２を視認し易くなる。とりわけ、法線方向ｎｄに対して第１軸方向ｄ１における他側に大きく傾斜した方向Ｄ２３２から太陽電池モジュール１を観察した場合であっても、レンズ面３１の集光作用によって、入射したレンズ面３１に対向する表示面１２を観察することができるようになる。仮に、複数の表示面１２がシート部材２０の他方の面２０ｂ上に、当該他方の面２０ｂに沿って並べられていた場合、図２３に点線で示すように、観察するレンズ面３１と隣り合うレンズ面３１に対向する表示面１２を観察してしまい、意図された表示機能が発現されなくおそれがある。すなわち、表示面１２を太陽電池パネル５０のパネル面に対して傾斜させることにより、表示面１２が観察される視野角となる第１角度範囲ＡＲ１を、言い換えると、表示面１２からの光の出射方向の角度範囲である第１角度範囲ＡＲ１を、高い自由度で調整することができる。
【０１８１】
一方、表示面１２に対してなす角度がより小さい方向からシート部材２０内を進行する光束Ｌ２３３ほど、表示面１２に受光され難い。このことから、傾斜した表示面１２に遮られずに太陽電池パネル５０に向かう光束Ｌ２３３は、図２３に示すように、表示面１２を有効に観察し得る方向Ｄ２３１、Ｄ２３２とは逆側に傾斜した光束Ｌ２３３となる。つまり、第１軸方向ｄ１において他側に進みながらレンズ面３１へ入射する光、図示する例では、鉛直方向における下方に進みながらレンズ面３１へ入射する光束Ｌ２３３が、２つの表示面１２の間となる領域６０を通過して太陽電池パネル５０に導かれ易くなる。
【０１８２】
以上のように、図２３に示す形態によれば、一方の面２０ａ及び一方の面２０ａに対向する他方の面２０ｂを有するシート部材２０と、シート部材２０の他方の面２０ｂに対向して配置された太陽電池パネル５０と、を備え、シート部材２０には、各々が太陽電池パネル５０のパネル面に対して傾斜した複数の表示面１２が一軸方向ｄ１に沿って配列されている。このような太陽電池モジュール１によれば、表示面１２が太陽電池パネル５０のパネル面に対して傾斜しているため、傾斜した表示面１２がその正面方向となる方向Ｄ２３１、Ｄ２３２から観察され易くなる。一方、表示面１２を視認し易い方向Ｄ２３１、Ｄ２３２とは異なる別の方向から太陽電池モジュール１に入射する光束Ｌ２３３は、隣り合う２つの表示面１２の間を透過して太陽電池パネル５０に導かれる。このように、観察者からの観察方向Ｄ２３１、Ｄ２３２と外光Ｌ２３３の入射方向との相違を利用して、周囲の環境との調和を図ると共に、表示面１２による表示及び太陽電池パネル５０による発電の両立が効果的に可能となる。
【０１８３】
また、本実施の形態によれば、複数の表示面１２は、シート部材２０内部に配置されている。この場合、シート部材２０をなす材料にて表示面１２を保護することができる点で有利である。
【０１８４】
また、シート部材２０の一方の面２０ａは、一軸方向ｄ１に配列された複数のレンズ面３１を含み、レンズ面３１は、或る方向Ｄ２３１、Ｄ２３２から向かってくる光を表示面１２に導き、或る方向Ｄ２３１、Ｄ２３２とは異なる別の方向から入射した光Ｌ２３３を隣り合う２つの表示面１２の間を透過させて太陽電池パネル５０に導く。このような形態によれば、レンズ面３１の集光作用によって、表示面１２が観察される視野角となる第１角度範囲ＡＲ１及び太陽電池パネル５０による発電が有効に行われる第２角度範囲ＡＲ２を、高い自由度で調整することが可能となる。
【０１８５】
このように、図１２乃至図２３に示すシート部材２０には、各々が太陽電池パネル５０のパネル面に対して傾斜する複数の表示面１２が一軸方向に沿って配列されていて、表示面１２の傾斜角度に応じて、表示面１２による表示機能及び太陽電池パネル５０による発電機能が変化する。そこで、第１シート部材２及び第２シート部材６として、異なる角度の表示面１２をもつシート部材２０を組み合わせて使用するのが、表示機能及び発電機能をニーズに合わせて変更することができるため、有効である。すなわち、第１シート部材２には、各々が太陽電池パネル５０のパネル面に対して傾斜する複数の第１表示面３ａが一軸方向ｄ１に沿って配列されており、第２シート部材６には、第１シート部材２と入れ換えられた状態において、各々が太陽電池パネル５０のパネル面に対して傾斜する複数の第２表示面７ａが一軸方向ｄ１に沿って配列されており、第２シート部材６の第２表示面７ａは、第１シート部材２の第１表示面３ａが太陽電池パネル５０のパネル面に対してなす角度とは異なる角度で、太陽電池パネル５０のパネル面に対して傾斜する、ように、太陽電池モジュール１を構成するのが有効である。
【０１８６】
≪第２の実施の形態≫
次に、図２４及び図２５を参照して、第２の実施の形態について説明する。図２４及び図２５は、それぞれ、第２の実施の形態における太陽電池モジュール１を示す斜視図及び断面図である。図２４及び図２５を参照して説明する第２の実施の形態は、第１シート部材２がタイリングされている点で異なるが、その他の構成は、第１の実施形態およびその変形例と同様に構成することができる。第２の実施の形態に関する以下の説明および以下の説明で用いる図面では、上述した形態と同様に構成され得る部分について、上述の第１の実施の形態およびその変形例における対応する部分に対して用いた符号と同一の符号を用いることとし、重複する説明を省略する。
【０１８７】
図２４及び図２５に示す例では、シート部材２００が図１乃至図１１に示す第１シート部材２及びその変形形態としての図１２乃至図２３に示すシート部材２０に対応している。図２４及び図２５に示す太陽電池モジュール１は、シート部材２００及び太陽電池パネル５０の周りを取り囲む外枠７６を有し、この外枠７６内でシート部材２００がタイリングされている。すなわち、シート部材２００が複数のシート部品２０１を並べて組み付けることにより構成されている。図示する例では、複数のシート部品２０１は、太陽電池パネル５０のパネル面に平行な面内にて、正方配列されている。より詳細には、一軸方向ｄ３に並んだ３つのシート部品２０１からなる列が、一軸方向ｄ３に直交する他軸方向ｄ４に３行並べられ、合計で９つのシート部品２０１が設けられている。
【０１８８】
各シート部品２０１は、太陽電池パネル５０に接合層５を介して剥離可能且つ再接合可能に貼り付けられている。このため、各シート部品２０１は、他のシート部品２０１と独立して交換可能になっている。
【０１８９】
以上のように、本実施の形態によれば、表示面３ａが配置されたシート部材２００と、シート部材２００に対向して配置された太陽電池パネル５０と、を備え、シート部材２００は、その一部が交換可能になっている。この場合、シート部材２００の一部が破損した場合であっても、その破損した一部を取り替えることで復元させることができるため、メンテナンス性に優れる。このようなシート部材２を安定して量産する観点から、シート部材２００は、複数のシート部品２０１を並べることにより構成され、シート部品２０１の各々が、他のシート部品２０１と独立して交換可能になっているのがよい。
【符号の説明】
【０１９０】
１    太陽電池モジュール
２    第１シート部材
２ｃ  基材
３    着色層
３ａ  第１表示面
３ｂ  第１表示対象
４ａ  光拡散層
４ｂ  別の光拡散層
５    接合層
６    第２シート部材
６ｃ  基材
６ｄ  マーク
７    着色層
７ａ  第２表示面
７    第２表示対象
８ａ  光拡散層
９    別の接合層
１０  シート部材交換部品
１２    表示面
２０、２００    シート部材
２１    向き調整面
２２    光透過面
２０１  シート部品
３１    レンズ面
５０    太陽電池パネル
５０ａ  受光面
６１  固定部材
６６  第１ガイド部材
６７  第２ガイド部材
７１  収納部材
７２、７３  計測器
【図１】
0006590246.tif 000003
【図２】
0006590246.tif 000004
【図３】
0006590246.tif 000005
【図４】
0006590246.tif 000006
【図５】
0006590246.tif 000007
【図６】
0006590246.tif 000008
【図７】
0006590246.tif 000009
【図８】
0006590246.tif 000010
【図９】
0006590246.tif 000011
【図１０】
0006590246.tif 000012
【図１１】
0006590246.tif 000013
【図１２】
0006590246.tif 000014
【図１３】
0006590246.tif 000015
【図１４】
0006590246.tif 000016
【図１５】
0006590246.tif 000017
【図１６】
0006590246.tif 000018
【図１７】
0006590246.tif 000019
【図１８】
0006590246.tif 000020
【図１９】
0006590246.tif 000021
【図２０】
0006590246.tif 000022
【図２１】
0006590246.tif 000023
【図２２】
0006590246.tif 000024
【図２３】
0006590246.tif 000025
【図２４】
0006590246.tif 000026
【図２５】
0006590246.tif 000027